(57)【要約】  透明領域に対応する表示領域中に画像を表示する情報処理装置において、筐体の小型化を可能とする。タッチパネル（１４）から出力されたＮＦＣ端末（３０）の位置情報に応じて、ＮＦＣ端末（３０）の透明領域（３１）に対応するＮＦＣディスプレイ（１１）の領域を特定するアプリ実行部（２１１）と、特定された領域内に画像を表示させる表示駆動部（２３）とを備える。
2016185769.tif 000002
【特許請求の範囲】
【請求項１】
透光性部分を有する端末装置を重畳させることが可能な表示部を備える情報処理装置であって、
上記表示部は、タッチパネルを有し、
上記表示部に対して上記端末装置が重畳された場合に、上記タッチパネルから出力された上記端末装置の位置情報に応じて、上記透光性部分に対応する上記表示部の領域を特定する領域特定部と、
特定された上記領域内に画像を表示させる表示制御部と、を備えることを特徴とする情報処理装置。
【請求項２】
上記領域特定部は、上記タッチパネルにおける、上記端末装置が接触または近接している位置を特定し、当該位置における上記端末装置が有する上記透光性部分に対応する上記表示部の領域を特定することを特徴とする請求項１に記載の情報処理装置。
【請求項３】
上記表示部は、上記端末装置と近距離無線通信を行う通信部をさらに備えることを特徴とする請求項１または２に記載の情報処理装置。
【請求項４】
上記領域特定部は、上記端末装置との近距離無線通信により取得した、当該端末装置の上記透光性部分を示す情報を用いて、当該透光性部分に対応する上記表示部の領域を特定することを特徴とする請求項３に記載の情報処理装置。
【請求項５】
上記表示制御部は、上記端末装置との近距離無線通信により取得した情報に応じた画像を表示させることを特徴とする請求項３または４に記載の情報処理装置。
【請求項６】
上記表示部は、上記通信部を複数有し、
複数の上記通信部のうち、いずれの通信部で端末装置との近距離無線通信が行われたかを特定する特定部をさらに備えることを特徴とする請求項３から５のいずれか１項に記載の情報処理装置。
【請求項７】
上記表示制御部は、上記特定部が特定した通信部に応じた画像を表示させることを特徴とする請求項６に記載の情報処理装置。
【請求項８】
上記表示制御部は、上記通信部の位置と対応する上記表示部の領域内に、上記通信部の位置を示すガイド画像を表示させることを特徴とする請求項３から７のいずれか１項に記載の情報処理装置。
【請求項９】
透光性部分を有する端末装置を重畳させることが可能な表示部を備える情報処理装置の制御方法であって、
上記表示部は、タッチパネルを有し、
上記表示部に対して上記端末装置が重畳された場合に、上記タッチパネルから出力された上記端末装置の位置情報に応じて、上記透光性部分に対応する上記表示部の領域を特定する領域特定ステップと、
特定された上記領域内に画像を表示させる表示制御ステップと、を含むことを特徴とする情報処理装置の制御方法。
【請求項１０】
透光性部分を有する端末装置と近距離無線通信を行う通信部を有する表示部を備える情報処理装置であって、
上記表示部における上記通信部の位置を示す通信位置情報を記憶している記憶部と、
近距離無線通信が行われたことに応じて、上記表示部において上記端末装置が接触または近接している位置を、上記通信位置情報を用いて特定する端末位置特定部と、
特定された上記端末装置が有する上記透光性部分に対応する上記表示部の領域を特定する領域特定部と、
特定された上記領域内に画像を表示させる表示制御部と、を備えることを特徴とする情報処理装置。
【請求項１１】
外部装置の表示部に重畳させることで、当該外部装置と近距離無線通信を行う端末装置であって、
上記端末装置を上記表示部に重畳させたときに、当該表示部に表示された画像の少なくとも一部を視認可能な透光性部分を有することを特徴とする端末装置。
【請求項１２】
上記透光性部分は、空洞によって形成されていることを特徴とする請求項１１に記載の端末装置。
【請求項１３】
請求項１に記載の情報処理装置としてコンピュータを機能させるための制御プログラムであって、上記領域特定部および上記表示制御部としてコンピュータを機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、端末装置の透光性部分に対応する表示領域中に画像を表示する情報処理装置に関する。
【背景技術】
【０００２】
従来、ディスプレイに端末装置が接触（または近接）したことに応じた処理を実行する情報処理装置がある。例えば、ディスプレイ上にカード型の端末装置を配置したり、配置した端末装置を移動させたりすることでゲームを進めるカードゲーム機などが開発されている。しかしながら、上述のような情報処理装置は、端末装置をディスプレイに配置するため、画像の表示が制限されてしまう。具体的には、端末装置を配置した結果として画像を表示する場合、端末装置を配置した位置に画像を表示しても、ユーザは見ることができない。【０００３】
特許文献１には、透光性部分（透明領域）を有するカードに赤外線で検出できる不可視の基準マーク、ＱＲコード（登録商標）を読み取って、カードの透明領域に対応する表示領域中に画像を表示する技術が開示されている。
【先行技術文献】
【特許文献】
【０００４】
【特許文献１】日本国公開特許公報「特開２００９−２９７３０３号公報（２００９年１２月２４日公開）」
【発明の概要】
【発明が解決しようとする課題】
【０００５】
しかしながら、特許文献１の技術では、カードの透明領域を特定するために、基準マークやＱＲコードを読み取るＣＣＤカメラをディスプレイの下部に設ける必要があり、筐体を小型化することができないという問題がある。【０００６】
本発明は、上記の問題点に鑑みてなされたものであり、端末装置の透明領域に対応する表示領域中に画像を表示する情報処理装置において、筐体の小型化を可能とする情報処理装置などを実現することにある。
【課題を解決するための手段】
【０００７】
上記の課題を解決するために、本発明の一態様に係る情報処理装置は、透光性部分を有する端末装置を重畳させることが可能な表示部を備える情報処理装置であって、上記表示部は、タッチパネルを有し、上記表示部に対して上記端末装置が重畳された場合に、上記タッチパネルから出力された上記端末装置の位置情報に応じて、上記透光性部分に対応する上記表示部の領域を特定する領域特定部と、特定された上記領域内に画像を表示させる表示制御部と、を備える。【０００８】
また、上記の課題を解決するために、本発明の一態様に係る情報処理装置の制御方法は、透光性部分を有する端末装置を重畳させることが可能な表示部を備える情報処理装置の制御方法であって、上記表示部は、タッチパネルを有し、上記表示部に対して上記端末装置が重畳された場合に、上記タッチパネルから出力された上記端末装置の位置情報に応じて、上記透光性部分に対応する上記表示部の領域を特定する領域特定ステップと、特定された上記領域内に画像を表示させる表示制御ステップと、を含む。【０００９】
また、上記の課題を解決するために、本発明の一態様に係る情報処理装置は、透光性部分を有する端末装置と近距離無線通信を行う通信部を有する表示部を備える情報処理装置であって、上記表示部における上記通信部の位置を示す通信位置情報を記憶している記憶部と、近距離無線通信が行われたことに応じて、上記表示部において上記端末装置が接触または近接している位置を、上記通信位置情報を用いて特定する端末位置特定部と、特定された上記端末装置が有する上記透光性部分に対応する上記表示部の領域を特定する領域特定部と、特定された上記領域内に画像を表示させる表示制御部と、を備える。【００１０】
また、上記の課題を解決するために、本発明の一態様に係る端末装置は、外部装置の表示部に重畳させることで、当該外部装置と近距離無線通信を行う端末装置であって、上記端末装置を上記表示部に重畳させたときに、当該表示部に表示された画像の少なくとも一部を視認可能な透光性部分を有する。
【発明の効果】
【００１１】
本発明の一態様によれば、端末装置の透明領域に対応する表示領域中に画像を表示する情報処理装置において、筐体の小型化を可能とするという効果を奏する。
【図面の簡単な説明】
【００１２】
【図１】実施形態１に係る情報処理装置の要部構成の一例を示すブロック図である。
【図２】ＮＦＣ端末の具体例を示す図である。
【図３】図２の（ａ）に示すＮＦＣ端末の各面を正投影図として描いた図である。
【図４】図３の（ａ）に示すＡ−Ａ断面におけるＮＦＣ端末の断面図である。
【図５】図３の（ｂ）に示すＢ−Ｂ断面におけるＮＦＣ端末の断面図である。
【図６】図１に示すＮＦＣディスプレイの具体的構成を示す図である。
【図７】（ａ）は、ＮＦＣ端末の一例を示す図面であり、（ｂ）は、（ａ）に示すＮＦＣ端末から取得した情報に基づくＮＦＣ通信情報の具体例を示す図である。
【図８】（ａ）は、ＮＦＣ端末の別の例を示す図面であり、（ｂ）は、（ａ）に示すＮＦＣ端末から取得した情報に基づくＮＦＣ通信情報の具体例を示す図である。
【図９】図１に示す情報処理装置が実行する処理の流れの一例を示すフローチャートである。
【図１０】図１に示す情報処理装置１がアプリケーションを実行したときの遷移図である。
【図１１】実施形態２に係る情報処理装置が備えるＮＦＣディスプレイの具体的構成を示す図である。
【図１２】実施形態２に係る情報処理装置がアプリケーションを実行したときの遷移図である。
【図１３】実施形態３に係る情報処理装置の要部構成の一例を示すブロック図である。
【図１４】図１３に示すＮＦＣディスプレイの具体的構成を示す図である。
【図１５】図１５の（ａ）および（ｂ）は、図１３に示すタッチパネルの原理を説明する図であり、図１５の（ｃ）および（ｄ）は、上記タッチパネルに物体が接触したときに発生するセンサシグナルの例を示す図である。
【図１６】図１６の（ａ）は、形状解析によって特定される端末候補領域の各パラメータの一例を示す図であり、図１６の（ｂ）は、物体が矩形のＮＦＣ端末である場合のタッチ情報の具体例を示す図である。
【図１７】図１７の（ａ）は、ＮＦＣ端末がタッチパネルに接触したときに生成されるタッチ情報の具体例を示す図であり、図１７の（ｂ）は、ＮＦＣ端末がタッチパネルへの接触を維持したまま移動しているときのタッチ情報の具体例を示す図である。
【図１８】対応付けデータの具体例を示す図である。
【図１９】図１３に示す情報処理装置が実行する処理の流れの一例を示すフローチャートである。
【図２０】図１９のフローチャートに含まれる対応付け処理の流れの一例を示すフローチャートである。
【図２１】図１３に示す情報処理装置がアプリケーションを実行したときの遷移図である。
【図２２】実施形態４に係る情報処理装置が備えるＮＦＣディスプレイの具体的構成を示す図である。
【図２３】実施形態４に係る情報処理装置がアプリケーションを実行したときの遷移図である。
【図２４】実施形態５に係る情報処理装置の要部構成の一例を示すブロック図である。
【図２５】実施形態５に係る情報処理装置がアプリケーションを実行したときの遷移図である。
【図２６】実施形態６に係るカード型のＮＦＣ端末の各面を正投影図として描いた図である。
【図２７】実施形態６に係るカード型のＮＦＣ端末の正面図および背面図である。
【図２８】実施形態６の変形例に係るカード型のＮＦＣ端末の各面を正投影図として描いた図である。
【図２９】実施形態６の変形例に係る、棒状の持手部の別の例を示す図である。
【発明を実施するための形態】
【００１３】
〔実施形態１〕
以下、本発明の実施の形態について、図１〜図１０に基づいて説明すれば、以下のとおりである。
【００１４】
（ＮＦＣ端末３０）
まず、本実施形態に係るＮＦＣ端末３０（端末装置）について、図２を参照して説明する。図２は、ＮＦＣ端末３０の具体例を示す図である。
【００１５】
図２の（ａ）に示すように、本実施形態に係るＮＦＣ端末３０は矩形のカード型の端末であり、タグリーダとしての機能を有するＮＦＣアンテナ１１３（アンテナ）に近接させることで、情報の送受信を行うことができる。ＮＦＣ端末３０は、ＩＣチップ３２およびアンテナコイル３３を備えている。なお、ＩＣチップ３２およびアンテナコイル３３については、既存のカード型のＮＦＣ端末に備えられているＩＣチップおよびアンテナコイルと同様のため、ここでの説明は省略する。
【００１６】
また、ＮＦＣ端末３０は、その中央に光を透過することで、ＮＦＣの相手となる装置の表示部に表示された画像の少なくとも一部を視認可能な透明領域３１（透光性部分）を有している。これにより、ＮＦＣ端末３０を後述する情報処理装置１の表示部１１２上に配置したとき、透明領域３１に重畳する表示部１１２の領域に表示された画像をユーザが視認することができる。
【００１７】
なお、ＮＦＣ端末３０の形状は矩形に限定されない。例えば、図２の（ｂ）に示すＮＦＣ端末３０ａのように、円形状のカード型の端末であってもよい。また、透明領域３１の形状も特に限定されず、図２の（ｂ）に示すように円形状であってもよい。
【００１８】
また、ＮＦＣ端末３０は、ＩＣチップ３２およびアンテナコイル３３が配置された領域は不透明領域となっているが、この例に限定されない。例えば、図２の（ｃ）に示すように、細線化したアンテナコイル３３ｂを用いることで、アンテナコイル３３ｂが配置された領域を透明領域（透明領域３１ｂ）としてもよい。
【００１９】
また、図２の（ｄ）に示すように、透明領域３１はアンテナコイル３３が配置された領域の内側だけでなく、外側にあってもよい。アンテナコイル３３は様々な形状でＮＦＣ端末３０に配置することができるため、図２の（ｄ）に示すように、ＮＦＣ端末３０の形状と略同一の形状でなくても構わない。
【００２０】
また、図２の（ｅ）に示すように、アンテナコイル３３の一部に細線化したアンテナコイル３５ｄを用いることで、アンテナコイル３３が配置された領域の一部のみを透明領域３１ｄに含めてもよい。アンテナコイル３３を細線化すると、アンテナコイル３３の感度が低下する。これに対して、図２の（ｅ）に示すようにアンテナコイル３３を部分的に細線化する（換言すれば、アンテナコイル３３が配された領域を部分的に不透明化する）ことにより、感度の低下を抑えることができる。
【００２１】
また、ＮＦＣ端末３０は、アンテナコイルに囲われた領域を透明領域３１とする例に限定されない。例えば、図２の（ｆ）に示すように、ＩＣチップ３２およびアンテナコイル３３ｅをＮＦＣ端末３０ｅの右下に配置し、これらが配置された領域以外の領域を透明領域３１ｅとしてもよい。
【００２２】
このように、透明領域３１を有するＮＦＣ端末３０はさまざまなバリエーションが考えられる。なお、ＮＦＣ端末３０は透明領域３１を有していれば、カード型の端末に限定されない。例えば、カード型の端末より厚みがある箱型の端末であってもよい。
【００２３】
図３は、ＮＦＣ端末３０の各面を正投影図として描いた図である。図３の（ａ）はＮＦＣ端末３０の正面図であり、図３の（ｂ）はＮＦＣ端末３０の右側面図であり、図３の（ｃ）はＮＦＣ端末３０の底面図である。なお、背面図は正面図と対称形であるため、ここでは省略している。また、左側面図および平面図はそれぞれ、右側面図および底面図と同一形であるため、ここでは省略している。
【００２４】
図３に示すＮＦＣ端末３０は、既存のカード型の端末と同様のサイズ（５４ｍｍ×８５ｍｍ）であり、厚みは１〜２ｍｍ、好ましくは１ｍｍ程度である。また、図３の（ｂ）および図３の（ｃ）に示すように、ＮＦＣ端末３０は２枚のカード型の板を貼りあわせる形で形成されており、これら板の間にＩＣチップ３２およびアンテナコイル３３が形成されている。
【００２５】
図４は、図３の（ａ）に示すＡ−Ａ断面におけるＮＦＣ端末３０の断面図である。ＮＦＣ端末３０の透明領域３１は、図４の（ａ）に示すように、透明板３１１および透明板３１２によって形成されている。なお、透明領域３１の構成は図４の（ａ）の例に限定されない。例えば、図４の（ｂ）に示すように、透明板３１２および空洞３１３によって形成されていてもよい。
【００２６】
また、図４の（ｃ）に示すように、片方のカード型の板は、全ての領域が透明な透明板３１４であってもよい。なお、図４の（ｃ）の例では、他方のカード型の板における透明領域３１は、空洞３１３によるものであるが、透明板３１１であってもよい。
【００２７】
また、図４の（ｄ）に示すように、透明領域３１は空洞を有する２つのカード型の板を貼りあわせることによって形成されてもよい。換言すれば、透明領域３１は、空洞のみで構成されてもよい。
【００２８】
図５は、図３の（ｂ）に示すＢ−Ｂ断面におけるＮＦＣ端末３０の断面図である。上述したように、ＩＣチップ３２およびアンテナコイル３３は、２枚のカード型の板の間に形成されている。
【００２９】
なお、図３〜図５に示すＮＦＣ端末３０は、上述したように２枚のカード状の板の間にＩＣチップ３２およびアンテナコイル３３を形成したものであるが、ＮＦＣ端末３０は図３の例に限定されない。例えば、１枚のカード状の板にＩＣチップ３２およびアンテナコイル３３が形成されたシート（シール）を貼り付けて、ＮＦＣ端末を形成してもよい。
【００３０】
以上のように、本実施形態に係るＮＦＣ端末３０は透明領域３１を有する。これにより、ユーザが後述する情報処理装置１とＮＦＣ端末３０との間で近距離無線通信（Near field radio communication、以下、ＮＦＣと称する場合がある）を実行するために、後述するＮＦＣディスプレイ１１（表示部）上にＮＦＣ端末３０を置いた場合、ユーザは、透明領域３１と重畳する位置に表示された画像を視認することができる。
【００３１】
（情報処理装置１）
続いて、本実施形態に係る情報処理装置１の要部構成について、図１を参照して説明する。図１は、情報処理装置１の要部構成の一例を示すブロック図である。情報処理装置１は、画像を表示する表示装置１０と、表示装置１０を制御する制御装置２０とが一体となっており、ＮＦＣディスプレイ１１、ＮＦＣ通信制御部１２（特定部）、制御部２１、記憶部２２、および表示駆動部２３（表示制御部）を備えている。
【００３２】
なお、情報処理装置１は、表示装置１０と制御装置２０とが別体であってもよい。この場合、表示装置１０と制御装置２０とは、通信部（不図示）を介して情報の送受信を行う。なお、情報の送受信は有線によるものであってもよいし、無線によるものであってもよい。また、表示装置１０と制御装置２０とが、ルータなどの別装置を介して情報の送受信を行ってもよい。
【００３３】
ＮＦＣディスプレイ１１は、外部装置との近距離無線通信を行う機能を備えたディスプレイである。ＮＦＣディスプレイ１１は、ＮＦＣ通信部１１１（通信部）および表示部１１２を備えている。なお、ＮＦＣとは、到達距離の短い無線通信全般を示し、例えば非接触ＩＣカードや非接触ＩＣタグなど、ＲＦＩＤ技術を利用した近距離無線通信などを含む。
【００３４】
ここで、ＮＦＣディスプレイ１１の具体的構成について、図６を参照して説明する。図６はＮＦＣディスプレイ１１の具体的構成を示す図である。図６に示すように、ＮＦＣディスプレイ１１は、最外部から保護ガラス、ＮＦＣ通信部１１１、表示部１１２の順に各部材を重畳させた構成である。
【００３５】
ＮＦＣ通信部１１１は、外部と近距離無線通信を行うための通信デバイスである。ＮＦＣ通信部１１１は、ＮＦＣタグ（ＮＦＣ端末３０）を検知して、情報の送受信を行うタグリーダとしての機能を有する透明アンテナであるＮＦＣアンテナ１１３を備えている。具体的には、ＮＦＣ通信部１１１は、図６に示すように、保護ガラスと表示部１１２との間に設けられるシート状の部材である。なお、図６に示すように、本実施形態のＮＦＣ通信部１１１は、ＮＦＣアンテナ１１３を１つ備えている構成であるが、ＮＦＣアンテナ１１３の数、サイズ、位置は図６の例に限定されるものではない。
【００３６】
表示部１１２は、情報処理装置１が処理する情報を画像として表示領域に表示する表示デバイスである。表示部１１２は、例えばＬＣＤ（Liquid crystal display、液晶ディスプレイ）であるが、この例に限定されるものではない。
【００３７】
ＮＦＣ通信制御部１２は、ＮＦＣ通信部１１１を制御する。具体的には、ＮＦＣ通信制御部１２は、後述するアプリ実行部２１１（領域特定部、端末位置特定部）の指示に応じて、ＮＦＣアンテナ１１３をＮＦＣ可能な状態（アクティブ）にしたり、ＮＦＣ不可能な状態（非アクティブ）にしたりする。また、ＮＦＣ通信制御部１２は、ＮＦＣ通信部１１１が取得した情報（端末情報）を用いて、ＮＦＣ通信情報を生成する。ここで、ＮＦＣ通信情報の詳細について、図７および図８を参照して説明する。図７の（ａ）は、ＮＦＣ端末３０の一例を示す図面であり、図７の（ｂ）は、図７の（ａ）に示すＮＦＣ端末３０から取得したＮＦＣ通信情報の具体例を示す図である。また、図８の（ａ）は、ＮＦＣ端末３０の別の例（ＮＦＣ端末３０ｆ）を示す図面であり、図８の（ｂ）は、図８の（ａ）に示すＮＦＣ端末３０ｆから取得したＮＦＣ通信情報の具体例を示す図である。なお、本実施形態ではＮＦＣ端末３０およびＮＦＣ端末３０ｆがＮＦＣ機能を備えた社員カードである例を説明する。また、ＮＦＣ通信情報は、図７および図８に示す例に限定されない。
【００３８】
ＮＦＣ通信部１１１は、ＮＦＣアンテナ１１３を介した近距離無線通信によって、社員カードからＮＦＣ端末を識別するＮＦＣ端末ＩＤ、ＮＦＣ端末の種類を示す端末種別、ＮＦＣ端末が保有している情報である端末データを取得する。
【００３９】
ＮＦＣ通信制御部１２は、ＮＦＣ通信部１１１からＮＦＣ端末ＩＤ、端末種別、および端末データを取得すると、これらの情報を取得したＮＦＣアンテナ１１３を識別するアンテナＩＤを特定する。なお、本実施形態ではＮＦＣアンテナ１１３は１つであるため、アンテナＩＤも１つのみでよい。そして、ＮＦＣ通信部１１１から取得した情報と、当該アンテナＩＤとを対応付けてＮＦＣ通信情報を生成する。
【００４０】
図７に示す例における端末データは、画像データ、テキストデータ、透明領域形状コード、および透明領域位置情報を含んでいる。画像データは、社員カードの持ち主であるユーザの顔を含む写真のデータである。テキストデータは、ユーザの所属を示すテキストデータであるが、この例に限定されない。透明領域形状コードは、社員カードにおける透明領域、具体的には、ユーザが社員カードをＮＦＣディスプレイ１１の上に配置したとき、社員カードに重畳するＮＦＣディスプレイ１１の領域に表示された画像を見ることができる領域の形状を示す情報であり、図７の例の場合、透明領域形状コードは「０５」（六角形）である。透明領域位置情報は、上記透明領域のサイズおよびＮＦＣ端末３０における透明領域の位置を特定するための情報であり、図７の例では、原点を社員カードの左上の頂点としたときの、透明領域の各頂点のＸＹ平面における座標であり、換言すれば、原点から各頂点までのＸ方向およびＹ方向の距離（単位：ｍｍ）である。
【００４１】
なお、透明領域のサイズおよびＮＦＣ端末における透明領域位置を特定するための情報は、透明領域位置情報に限定されない。例えば、図８の（ａ）に示すように、ＮＦＣ端末３０ｆの透明領域３１ｆが傾いた楕円形である場合、端末データは、透明領域サイズ、および透明領域角度をさらに含む。
【００４２】
図８の例における端末データをより具体的に説明すると、透明領域形状コードは「０３」（楕円形）である。また、図８の例における透明領域位置情報は、原点を社員カードの左上の頂点としたときの、透明領域３１ｆの中心点のＸＹ平面における座標であり、換言すれば、原点から透明領域３１ｆの中心点までのＸ方向およびＹ方向の距離（単位：ｍｍ）である。つまり、図８の例における透明領域位置情報は、透明領域３１ｆの中心点を特定するための情報である。
【００４３】
また、透明領域サイズは、透明領域のサイズを示す情報であり、図８の例では、透明領域３１ｆの長径および短径の長さを示す情報である。なお、透明領域サイズは透明領域の形状に応じて変わるため、図８の例に限定されない。
【００４４】
また、透明領域角度は、透明領域のＮＦＣ端末に対する傾きを示す情報である。具体的には、端末装置に設定された軸と、当該軸と同一平面上における軸であって、透明領域の形状に基づいて特定される軸とがなす角度を示す情報である。
【００４５】
なお以降、特に明記しない場合は、ＮＦＣ端末は図７に示すＮＦＣ端末３０であるものとして説明する。また、透明領域形状コード、および、透明領域のサイズおよびＮＦＣ端末における位置を特定するための情報を総称して、透明領域情報と称する場合がある。
【００４６】
ＮＦＣ通信制御部１２は、生成したＮＦＣ通信情報をアプリ実行部２１１に出力する。なお、図７および図８においてＮＦＣ端末ＩＤおよびアンテナＩＤをアルファベットと数字からなる情報としたのは一例であり、この例に限定されるものではない。
【００４７】
制御部２１は、情報処理装置１、特に制御装置２０の機能を統括して制御する。制御部２１は、アプリ実行部２１１、および画像生成部２１２を含む。
【００４８】
アプリ実行部２１１は、情報処理装置１が有する各種アプリケーションを実行する。具体的には、アプリ実行部２１１は、アプリケーションを起動するための操作を示す情報を、図示しない操作部から取得すると、記憶部２２に記憶されているアプリケーション２２１のうち、取得した情報に応じたアプリケーション２２１を実行する。そして、画像生成部２１２に画像の生成を指示する。具体的には、アプリ実行部２１１は、記憶部２２に記憶されているＮＦＣ端末情報２２２およびアンテナ位置情報２２３（通信位置情報）を参照して、ＮＦＣ端末３０の近接面（ＮＦＣアンテナ１１３に近接させる面）と略同一の形状およびサイズのガイド画像の生成を画像生成部２１２に指示する。
【００４９】
ここで、ＮＦＣ端末情報２２２とは、ＮＦＣ端末３０の近接面の形状およびサイズを示す情報である。つまり本実施形態においては、使用されるＮＦＣ端末３０の近接面の形状およびサイズが予め記憶部２２に記憶されている。ＮＦＣ端末情報２２２は、アプリケーション２２１を識別する情報と対応付けられている。これにより、アプリ実行部２１１は、実行したアプリケーション２２１に応じて、適切なＮＦＣ端末情報２２２を読み出すことができる。例えば、ＮＦＣ端末３０が矩形の社員カードの場合、ＮＦＣ端末情報２２２は、社員カードの形状を示す情報（例えば、形状を示す２桁の数字）、および社員カードの短辺および長辺の長さを示す情報であるが、ＮＦＣ端末情報２２２は、ＮＦＣ端末３０の近接面の形状およびサイズに応じて変わるため、この例に限定されるものではない。
【００５０】
また、アンテナ位置情報２２３とは、ＮＦＣ通信部１１１におけるＮＦＣアンテナ１１３の位置を示す情報であり、具体的には、ＮＦＣアンテナ１１３を識別するアンテナＩＤと、ＮＦＣアンテナ１１３の位置を示す情報とを対応付けたものである。ＮＦＣアンテナ１１３の位置を示す情報は例えば、ＮＦＣアンテナ１１３が矩形である場合、表示部１１２の画像表示領域の左上頂点を原点とした時のＮＦＣアンテナ１１３の左上および右下頂点の表示解像度上のＸＹ平面座標であってもよいし、ＮＦＣアンテナ１１３の中心点の表示解像度上のＸＹ平面座標であってもよいが、この例に限定されるものではない。
【００５１】
また、ガイド画像とは、ＮＦＣ端末３０を近接させる位置をユーザに知らせるための画像である。アプリ実行部２１１は、画像生成部２１２に、ＮＦＣ端末情報２２２が示すＮＦＣ端末３０の近接面の形状およびサイズと略同一の形状およびサイズのガイド画像を生成し、アンテナ位置情報２２３が示す位置に対応する表示部１１２の領域に表示させるよう指示する。
【００５２】
また、アプリ実行部２１１は、ＮＦＣ通信制御部１２に指示してＮＦＣアンテナ１１３をアクティブにさせたり、非アクティブにさせたりする。
【００５３】
さらに、アプリ実行部２１１は、ＮＦＣ通信制御部１２からＮＦＣ通信情報を取得すると、ＮＦＣ通信情報に含まれる透明領域情報、ＮＦＣ端末情報２２２、およびアンテナ位置情報２２３を参照して、ＮＦＣ端末３０の透明領域に対応する表示部１１２の領域を特定する。具体的には、アプリ実行部２１１は、アンテナ位置情報２２３が示す位置において、ＮＦＣ端末情報２２２が示すＮＦＣ端末３０の近接面に対応する表示部１１２の領域を特定する。ここで、ＮＦＣ端末３０が矩形の社員カードである場合、特定した領域の左上頂点の位置を原点とするＸＹ平面を仮想的に形成する。そして、当該ＸＹ平面における透明領域位置情報の座標（表示解像度上のＸＹ平面座標）を特定する。続いてアプリ実行部２１１は、画像生成部２１２に、特定した座標が示す領域の形状およびサイズに合わせた画像を生成し、特定した領域に当該画像を表示させるよう指示する。この画像は、ＮＦＣ端末３０と情報処理装置１との間でＮＦＣが実行されたことをトリガとして生成される画像であり、ＮＦＣ端末３０が社員カードである場合、社員カードに含まれる画像データが示す画像およびテキストデータが示すテキスト（図７参照）を含む画像である。なお、本実施形態に係るアプリケーション２２１の具体例については後述する。
【００５４】
画像生成部２１２は、アプリ実行部２１１の指示に応じて、画像を生成する。例えば、アプリ実行部２１１から指示された形状およびサイズのガイド画像を生成したり、アプリ実行部２１１から指示された、ＮＦＣ端末３０の透明領域に対応する表示部１１２の領域の形状およびサイズの画像を生成したりする。画像生成部２１２は、生成した画像を表示駆動部２３に出力するとともに、アプリ実行部２１１から指示された表示位置を表示駆動部２３に出力する。
【００５５】
表示駆動部２３は、表示部１１２を制御する。具体的には、表示駆動部２３は、画像生成部２１２から取得した表示位置に、画像生成部２１２から取得した画像を表示させる。
【００５６】
記憶部２２は、情報処理装置１が使用する各種データを記憶する。記憶部２２は、少なくともアプリケーション２２１、ＮＦＣ端末情報２２２、およびアンテナ位置情報２２３を記憶している。なお、アプリケーション２２１、ＮＦＣ端末情報２２２、およびアンテナ位置情報２２３については、既に説明しているため、ここでの説明を省略する。
【００５７】
（情報処理装置１が実行する処理の流れ）
次に、図９を参照して、情報処理装置１が実行する処理の流れについて説明する。図９は、情報処理装置１が実行する処理の流れの一例を示すフローチャートである。
【００５８】
まず、アプリ実行部２１１は、アプリケーションの実行、具体的には、アプリケーションを実行するための操作を示す情報を待機している（Ｓ１）。アプリケーションが実行された場合（Ｓ１でＹＥＳ）、情報処理装置１は、ＮＦＣアンテナ１１３の位置にガイド画像を表示させる（Ｓ２）。具体的には、アプリ実行部２１１が、ＮＦＣ端末情報２２２が示すＮＦＣ端末３０の近接面の形状およびサイズと略同一の形状およびサイズのガイド画像を生成し、アンテナ位置情報２２３が示す位置に対応する表示部１１２の領域に表示させるよう、画像生成部２１２に指示する。画像生成部２１２は、アプリ実行部２１１から指示された形状およびサイズのガイド画像を生成し、アプリ実行部２１１から指示された位置を表示駆動部２３に出力する。表示駆動部２３は、画像生成部２１２から取得した表示位置に、画像生成部２１２から取得したガイド画像を表示させる。
【００５９】
続いて、アプリ実行部２１１は、ＮＦＣ通信情報を待機する状態となる（Ｓ３）。ＮＦＣ通信制御部１２からＮＦＣ通信情報を取得すると（Ｓ３でＹＥＳ）、アプリ実行部２１１は、ＮＦＣ通信情報に含まれる透明領域情報から、画像表示領域を算出する（Ｓ４、領域特定ステップ）。具体的には、アプリ実行部２１１は、ＮＦＣ通信情報に含まれる透明領域情報と、記憶部２２に記憶されているＮＦＣ端末情報２２２およびアンテナ位置情報２２３を参照して、ＮＦＣ端末３０の透明領域に対応する表示部１１２の領域を特定する。そして、特定した領域（算出した画像表示領域）に合わせた画像を生成し、特定した領域に当該画像を表示させるよう画像生成部２１２に指示する。
【００６０】
画像生成部２１２は、アプリ実行部２１１が算出した画像表示領域に合わせた画像を生成する（Ｓ５）。そして、生成した画像と、アプリ実行部２１１から指示された表示位置（画像表示領域）とを表示駆動部２３に出力する。
【００６１】
最後に、表示駆動部２３は、生成した画像を画像表示領域に表示させる（Ｓ６、表示制御ステップ）。以上で、情報処理装置１が実行する処理は終了する。
【００６２】
（アプリケーションの一例）
次に、図１０を参照して、本実施形態に係る情報処理装置１が実行するアプリケーション２２１の一例を説明する。図１０は、本実施形態に係る情報処理装置１がアプリケーション２２１を実行したときの遷移図である。
【００６３】
図１０に示すアプリケーション２２１は、情報処理装置１にログインするための認証アプリケーションである。なお、このアプリケーション２２１は一例であり、本実施形態に係る情報処理装置１が実行するアプリケーションはこの例に限定されない。
【００６４】
図１０の（ａ）は、ＮＦＣ端末３０である社員カードをＮＦＣアンテナ１１３に近接させる前のＮＦＣディスプレイ１１を示している。図１０の（ａ）に示すように、社員カードと略同一形状およびサイズのガイド画像４１が、表示部１１２に表示されている。
【００６５】
ユーザは、図１０の（ｂ）に示すように、ガイド画像４１に合わせて社員カードをＮＦＣディスプレイ１１上に配置する。これにより、社員カードが保持する情報をＮＦＣ通信制御部１２が取得し、ＮＦＣ通信情報を生成してアプリ実行部２１１に出力する。
【００６６】
続いてアプリ実行部２１１は、ＮＦＣ通信情報に含まれる透明領域情報を用いて画像表示領域を算出し、当該画像表示領域の情報と、ＮＦＣ通信情報に含まれる画像データおよびテキストデータとを画像生成部２１２に出力する。これにより、画像生成部２１２は、社員カードの持ち主であるユーザの写真およびユーザに関するテキスト（所属や名前など）を含む画像を生成する。この画像は、図１０の（ｃ）に示すように、画像表示領域、すなわち、社員カードの透明領域３１と略同一の形状およびサイズの画像である。
【００６７】
なお、アプリ実行部２１１は、ユーザの認証も行う。ユーザの認証処理については本発明との関連性が薄いため詳細な説明は省略する。例えば、社員カードが保持する情報に、ユーザを識別する情報が含まれており、アプリ実行部２１１は、当該情報を取得したとき、記憶部２２に記憶されている、各社員を識別する情報（不図示）を参照して、ユーザの認証および特定を行ってもよい。アプリ実行部２１１は、ユーザの認証および特定が完了すると、特定したユーザに応じた画像の生成（例えば、ユーザが設定した壁紙の画像など）を画像生成部２１２に指示する。画像生成部２１２は、当該指示に応じて画像を生成する。
【００６８】
最後に、図１０の（ｃ）に示すように、画像生成部２１２が生成した画像を取得した表示駆動部２３が、画像を表示する。
【００６９】
〔実施形態２〕
本発明の他の実施形態について、図１１および図１２に基づいて説明すれば、以下のとおりである。なお、説明の便宜上、前記実施形態にて説明した部材と同じ機能を有する部材については、同じ符号を付記し、その説明を省略する。
【００７０】
図１１は、本実施形態に係る情報処理装置１ａが備えるＮＦＣディスプレイ１１ａの具体的構成を示す図である。ＮＦＣディスプレイ１１ａは実施形態１にて説明したＮＦＣディスプレイ１１と異なり、ＮＦＣ通信部１１１ａを備えている。ＮＦＣ通信部１１１ａは、実施形態１にて説明したＮＦＣ通信部１１１と異なり、複数のＮＦＣアンテナ１１３を備えている。なお、図１１に示すＮＦＣ通信部１１１ａは、複数のＮＦＣアンテナ１１３がマトリクス状に配置されているが、ＮＦＣアンテナ１１３の数および配置は図１１の例に限定されるものではない。なお、本実施形態における複数のＮＦＣアンテナ１１３には、それぞれ異なるアンテナＩＤが設定されている。
【００７１】
なお、情報処理装置１ａは、ＮＦＣディスプレイ１１に代えてＮＦＣディスプレイ１１ａを備えるほかは、実施形態１で説明した情報処理装置１と同様であるため、本実施形態では、情報処理装置１ａの要部構成を示すブロック図および各部材の説明を省略する。
【００７２】
（アプリケーションの一例）
次に、図１２を参照して、本実施形態に係る情報処理装置１ａが実行するアプリケーション２２１ａの一例を説明する。図１２は、本実施形態に係る情報処理装置１ａがアプリケーション２２１ａを実行したときの遷移図である。
【００７３】
図１２に示すアプリケーション２２１ａは、２人のユーザによる対戦型のカードゲームのアプリケーションである。なお、このアプリケーション２２１ａは一例であり、本実施形態に係る情報処理装置１ａが実行するアプリケーションはこの例に限定されない。
【００７４】
まず、ＮＦＣ通信制御部１２は、アプリ実行部２１１の指示を受けて、複数のＮＦＣアンテナ１１３のうち、図１２の（ａ）における最も左の列のＮＦＣアンテナ１１３、および、最も右の列のＮＦＣアンテナ１１３をアクティブにする。そして、アプリ実行部２１１は、アクティブにしたＮＦＣアンテナの位置に表示するガイド画像４１を生成するよう画像生成部２１２に指示する。その後、表示駆動部２３は画像生成部２１２が生成した画像（ガイド画像４１を含む）を表示部１１２に表示させる。これにより、図１２の（ａ）に示すように、ガイド画像４１を含むアプリケーション２２１ａの画像が表示部１１２に表示される。
【００７５】
続いて、図１２の（ｂ）に示すように、各ユーザはそれぞれが有するＮＦＣ端末３０（以下、カード）をガイド画像４１に合わせてＮＦＣディスプレイ１１ａ上に配置する。これにより、カードと情報処理装置１ａとの間で近距離無線通信が実行され、カードが保持する情報（例えば、当該カードが示すキャラクタの画像、ステータスなど）が情報処理装置１ａに送信される。そして、ＮＦＣ通信制御部１２は、受信した情報を含むＮＦＣ通信情報を生成し、アプリ実行部２１１に出力する。
【００７６】
続いてアプリ実行部２１１は、ＮＦＣ通信情報に含まれる透明領域情報を用いて画像表示領域を算出し、当該画像表示領域の情報と、ＮＦＣ通信情報に含まれるキャラクタの画像データを画像生成部２１２に出力する。これにより、画像生成部２１２は、カードが示すキャラクタの画像を生成する。この画像は、図１２の（ｃ）に示すように、画像表示領域、すなわち、カードの透明領域３１内に収まるサイズの画像４２である。なお、画像生成部２１２は、キャラクタの画像が透明領域３１内に収まるように、必要に応じて画像のサイズを調整してもよい。
【００７７】
また、画像生成部２１２は、アプリ実行部２１１の指示に応じて、図１２の（ｃ）に示すように、表示部１１２の中央付近に表示するキャラクタの画像を生成する。
【００７８】
最後に、図１２の（ｃ）に示すように、画像生成部２１２が生成した画像を取得した表示駆動部２３が、画像を表示させる。
【００７９】
なお、図１２の例では、画像４２としてキャラクタの画像のみを表示しているが、画像４２はキャラクタのステータスなどの他の情報を含んでいてもよい。また、キャラクタのステータス等の他の情報は、カードの周辺に表示されてもよい。
【００８０】
また、ＮＦＣ通信制御部１２は、カードゲームの進行に応じてキャラクタのステータスなどの端末データが変化した場合、変化後の端末データを、ＮＦＣを用いてカードに送信してもよい。カードに送信される情報はキャラクタのステータスに限定されず、例えば対戦履歴などであってもよい。
【００８１】
（実施形態１および２の変形例）
実施形態１および２では、情報処理装置１（または情報処理装置１ａ）が、透明領域情報をＮＦＣ端末３０から近距離無線通信によって取得する構成を説明したが、アプリケーション２２１において、透明領域情報が共通であるＮＦＣ端末３０のみを使用する場合、透明領域情報を予め情報処理装置１が記憶している構成であってもよい。この場合、アプリケーション２２１を識別する情報と、透明領域情報とを対応付けて記憶しておき、アプリ実行部２１１は、ＮＦＣ通信情報を取得したことに応じて、実行しているアプリケーション２２１に応じた透明領域情報と、ＮＦＣ端末情報２２２と、アンテナ位置情報２２３とを読み出し、画像表示領域を特定する。
【００８２】
また、上述した実施形態１および２では、ＮＦＣ端末３０の形状およびサイズを示す情報（ＮＦＣ端末情報２２２）を、情報処理装置１（または情報処理装置１ａ）が予め記憶部２２に記憶している構成を説明した。しかしながら、ＮＦＣ端末３０の形状およびサイズを示す情報は記憶部２２に予め記憶されていなくてもよい。具体的には、情報処理装置１（または情報処理装置１ａ）は、当該情報をＮＦＣ端末３０から近距離無線通信によって取得してもよい。
【００８３】
この例の場合、ＮＦＣ通信情報は、図７や図８に示す各種データに加え、端末データとしてさらにＮＦＣ端末３０の形状およびサイズを示す情報を含む。当該情報は特に限定されず、例えばＮＦＣ端末３０が矩形の場合、矩形であることを示す情報（例えば、形状を示す２桁の数字）、およびＮＦＣ端末３０の長辺および短辺の長さを示す情報であってもよい。
【００８４】
また、この例の場合、記憶部２２には、ＮＦＣ端末情報２２２に代えてアンテナの形状およびサイズを示す情報がさらに格納されており、アプリ実行部２１１は、当該情報およびアンテナ位置情報２２３を参照して、ＮＦＣ端末３０の近接面（ＮＦＣアンテナ１１３に近接させる面）と略同一の形状およびサイズのガイド画像の生成を画像生成部２１２に指示する。
【００８５】
〔実施形態３〕
本発明のさらに別の実施形態について、図１３〜図２１に基づいて説明すれば、以下のとおりである。なお、説明の便宜上、前記実施形態にて説明した部材と同じ機能を有する部材については、同じ符号を付記し、その説明を省略する。
【００８６】
図１３は、本実施形態に係る情報処理装置１ｂの要部構成の一例を示すブロック図である。情報処理装置１ｂは、画像を表示する表示装置１０ｂと、表示装置１０ｂを制御する制御装置２０ｂとが一体となっている。なお、情報処理装置１ｂは、表示装置１０ｂと制御装置２０ｂとが別体であってもよい。この場合、表示装置１０ｂと制御装置２０ｂとは、通信部（不図示）を介して情報の送受信を行う。なお、情報の送受信は有線によるものであってもよいし、無線によるものであってもよい。また、表示装置１０ｂと制御装置２０ｂとが、ルータなどの別装置を介して情報の送受信を行ってもよい。
【００８７】
情報処理装置１ｂは、実施形態１にて説明した情報処理装置１と異なり、ＮＦＣディスプレイ１１、制御部２１、および記憶部２２に代えてＮＦＣディスプレイ１１ｂ、制御部２１ｂ、および記憶部２２ｂを備える。また、情報処理装置１ｂは、新たにシグナル情報処理部１３を備える。
【００８８】
ＮＦＣディスプレイ１１ｂは、新たにタッチパネル１１４を備えている。ここで、ＮＦＣディスプレイ１１ｂの具体的構成について、図１４を参照して説明する。図１４は、ＮＦＣディスプレイ１１ｂの具体的構成を示す図である。図１４に示すように、ＮＦＣディスプレイ１１ｂは、最外部から保護ガラス、タッチパネル１１４、ＮＦＣ通信部１１１、表示部１１２の順に各部材を重畳させた構成である。
【００８９】
タッチパネル１１４は、物体の接触を受け付けるタッチ面と、指示体とタッチ面との間の接触、および、それによる入力位置を検知するためのタッチセンサとで構成されている。タッチセンサは、指示体とタッチ面との接触／非接触を検知できれば、どのようなセンサで実現されていてもよい。例えば、圧力センサ、静電容量センサ、光センサなどで実現される。なお本実施形態では、タッチセンサが静電容量センサであるものとして説明する。また、タッチパネル１１４は、物体が接触せず、タッチパネル１１４と物体との距離が所定距離以内である、いわゆる近接状態を接触として検知するものであってもよい。
【００９０】
ここで、静電容量センサを備えるタッチパネル１１４の詳細について、図１５を参照して説明する。図１５の（ａ）および（ｂ）は、タッチパネル１１４の原理を説明する図であり、図１５の（ｃ）および（ｄ）は、タッチパネル１１４に物体が接触したときに発生するセンサシグナルの例を示す図である。
【００９１】
図１５の（ａ）に示すように、タッチパネル１１４は、Ｙ方向に延びる透明電極１１５とＸ方向に延びる透明電極１１６とを重ね合わせて形成される。そして、図１５の（ｂ）に示すように導電性のある物体（図１５の（ｂ）では指Ｆ）がタッチパネル１１４に接触すると静電容量が変化する。このとき、どの電極間で静電容量が変化したかを検出することで、物体が接触した座標を特定することができる。
【００９２】
図１５の（ｃ）および（ｄ）は、物体としてＮＦＣ機能を搭載したカードをタッチパネル１１４に接触させたときの、静電容量の変化量を示すセンサシグナルの例を示す図である。なお、ＮＦＣ機能を搭載したカードは、ＮＦＣ機能を実現するためのアンテナコイルを備えており、当該アンテナコイルの導電性によって、タッチパネル１１４はカードの接触を検出することができる。
【００９３】
上記カードをタッチパネル１１４に接触させると、図３の（ｃ）に示すようなセンサシグナル（位置情報）が発生する。これを上面図にて示すと、図３の（ｄ）に示すように、当該カードの接触面（タッチパネル１１４に接触した面）の形状でセンサシグナルが発生していることが見て取れる。具体的には、アンテナコイルの形状に応じた形状のセンサシグナルが発生している。なお、ＮＦＣ機能を搭載した端末（ＮＦＣ端末）自体が導電性である場合は、端末の形状に応じた形状のセンサシグナルが発生する。タッチパネル１１４は、当該センサシグナルを示すシグナル情報をシグナル情報処理部１３に出力する。具体的には、タッチパネル１１４は１秒間に６０回〜２４０回の頻度でシグナル情報をシグナル情報処理部１３に出力する。
【００９４】
なお、図示してはいないが、指などの指示体がタッチパネル１１４に接触した場合、図１５の（ｃ）のような広範囲のセンサシグナル（換言すれば、ブロードのセンサシグナル）は発生せず、狭い範囲でのセンサシグナル（換言すれば、細いセンサシグナル）が発生する。
【００９５】
また、本実施形態では、ＮＦＣ通信部１１１とタッチパネル１１４とが別体である構成を説明したが、ＮＦＣ通信部１１１とタッチパネル１１４とは一体化していてもよい。例えば、タッチパネル１１４にＮＦＣアンテナ１１３が備えられている構成であってもよい。これは、後述する実施形態４においても同様である。
【００９６】
シグナル情報処理部１３は、タッチパネル１１４から取得したシグナル情報を処理する。シグナル情報処理部１３は、物体判定部１３１、およびタッチ情報生成部１３２を含む。
【００９７】
物体判定部１３１は、タッチパネル１１４に接触した物体が指やペンなどの指示体であるか、またはＮＦＣ機能を有するＮＦＣ端末（例えば、ＮＦＣ端末３０）であるかを判定する。具体的には、物体判定部１３１は、取得したシグナル情報が示すセンサシグナルが、所定範囲より広い範囲で発生したセンサシグナルであるか否かを判定する。上述したように、所定範囲より広い範囲でセンサシグナルが発生していれば、上記物体はＮＦＣ端末である可能性が高い。一方、所定範囲以下の範囲でセンサシグナルが発生していれば、上記物体は指示体である可能性が高い。物体判定部１３１は、判定結果をタッチ情報生成部１３２に出力する。
【００９８】
なお、物体判定部１３１は、タッチパネル１１４に接触した物体が指示体であるかＮＦＣ端末であるかを判定することができればよく、上述したように取得したシグナル情報が示すセンサシグナルが、所定範囲より広い範囲で発生したセンサシグナルであるか否かを判定する構成に限定されない。例えば、取得したセンサシグナルの本数が所定数より多いか否かを判定する構成であってもよい。この場合、所定数より多ければ、上記物体はＮＦＣ端末である可能性が高い。一方、所定数より少なければ、上記物体は指示体である可能性が高い。
【００９９】
タッチ情報生成部１３２は、物体判定部１３１の判定結果に応じたタッチ情報を生成する。タッチ情報生成部１３２は、取得した判定結果が所定範囲より広い範囲で発生したセンサシグナルでないことを示している場合、最も強いセンサシグナルが発生している座標（ピーク座標）を特定し、当該座標とタッチ情報を識別するタッチＩＤとを対応付けて、タッチ情報を生成する。
【０１００】
一方、タッチ情報生成部１３２は、取得した判定結果が所定範囲より広い範囲で発生したセンサシグナルであることを示している場合、シグナル情報を参照してセンサシグナルの形状解析を行う。
【０１０１】
ここで、図１６を参照して、形状解析およびタッチ情報の詳細について説明する。図１６の（ａ）は、形状解析によって特定される端末候補領域の各パラメータの一例を示す図である。また、図１６の（ｂ）は、物体が矩形のＮＦＣ端末である場合のタッチ情報の具体例を示す図である。なお、タッチパネル１１４には、図１６の（ａ）に示すように、仮想のＸＹ平面が予め設定されている。タッチ情報生成部１３２は、センサシグナルが発生した座標から、端末候補領域を特定する。続いて、端末候補領域の外縁を補正することにより、図１６の（ａ）に示すように、端末候補領域の外周形状を整形する。そして、図１６の（ａ）に示す外周形状を特定し（図１６の（ａ）の場合、外周形状を矩形と特定する）、当該矩形の中心座標（以下、タッチ座標）、サイズ、および傾きの角度（以下、角度）を算出する。なお、「角度」とは、上記ＸＹ平面のＸ軸と、上記Ｘ軸と同一平面上の軸であって、端末候補領域の外周形状に基づいて特定される軸（図１６の例では、矩形の長辺）とがなす角度である。
【０１０２】
なお、ＮＦＣ端末からＮＦＣアンテナ１１３を介して取得した、ＮＦＣ端末やアンテナコイルの形状、サイズの情報を参照して、端末候補領域の外周形状を整形してもよい。
【０１０３】
そして、タッチ情報生成部１３２は、算出したタッチ座標、サイズ、角度、および、端末候補領域の外周形状を示す形状コードをタッチＩＤと対応付けて、図１６の（ｂ）に示すタッチ情報を生成する。タッチ情報生成部１３２は、生成したタッチ情報を後述する対応付け部２１３に出力する。ここで形状コードとは、図１６の（ｂ）に示すように、端末候補領域の外周形状と対応付けられた２桁の数字である。外周形状と形状コードとを対応付けたデータは、記憶部２２に予め格納されており、例えば、図１６の（ｂ）に示すように、形状コード「０１」が矩形と対応付けられている。なお、形状コードと形状との対応付けはこの例に限定されず、例えば、形状コード「０２」が円形と、「０３」が楕円形と、「０４」が三角形と、「０５」が六角形と対応付けられていてもよい。また、形状コードと形状との組み合わせ（対応付け）、および形状コードの数は上述した例に限定されない。なお、図１６の（ｂ）においてタッチＩＤをアルファベットと数字からなる情報としたこと、および形状コードを２桁の数字としたことは一例であり、この例に限定されるものではない。また、図１６の（ｂ）に示すサイズは外周形状が矩形のＮＦＣ端末を想定したものであり、ＨがＮＦＣ端末の短辺の長さを示し、ＷがＮＦＣ端末の長辺の長さを示しているが、この例に限定されるものではない。
【０１０４】
また、図１６の（ｂ）に示すタッチ情報に含まれる情報の種類は一例であり、この例に限定されるものではない。例えば、ＮＦＣ端末のＮＦＣディスプレイ１１上における状態を示す「ステータス情報」を含んでもよい。ここで、「ステータス情報」の具体例としては、ＮＦＣ端末がＮＦＣディスプレイ１１に接触したことを示す「タッチイン」、ＮＦＣ端末がＮＦＣディスプレイ１１上を移動していることを示す「ムーブ」、およびＮＦＣ端末がＮＦＣディスプレイ１１から離れたことを示す「タッチアウト」などが挙げられるが、この例に限定されるものではない。
【０１０５】
なお、タッチパネル１１４は、物体の接触が継続している場合、シグナル情報を継続的にシグナル情報処理部１３に出力する。タッチ情報生成部１３２は、取得したシグナル情報に基づいて継続的にタッチ情報を生成し、後述する対応付け部２１３に出力する。このとき、タッチ情報生成部１３２は、タッチパネルからのシグナル情報の出力が途切れるまで、生成したタッチ情報に同一のタッチＩＤを付す。この処理について、図１７を参照して説明する。図１７の（ａ）は、ＮＦＣ端末がタッチパネル１１４に接触したときに生成されるタッチ情報の具体例を示す図であり、図１７の（ｂ）は、ＮＦＣ端末がタッチパネル１１４への接触を維持したまま移動しているときのタッチ情報の具体例を示す図である。
【０１０６】
ＮＦＣ端末がタッチパネル１１４に接触すると、タッチ情報生成部１３２は、上述した処理を実行して、図１７の（ａ）に示すタッチ情報を生成する。その後、ＮＦＣ端末がタッチパネル１１４に接触したまま移動すると、タッチ情報生成部１３２は、取得したシグナル情報に応じて、継続的にタッチ情報を生成する。このとき、ＮＦＣ端末は移動しているので、タッチ情報に含まれるタッチ座標は変化する。例えば図１７の（ａ）および（ｂ）に示すように、タッチ座標が（Ｘ，Ｙ）＝（５０，５０）から（Ｘ，Ｙ）＝（１００，８０）に変化する。なお実際は、図１７の（ａ）に示すタッチ情報が生成されてから、図５の（ｂ）に示すタッチ情報が生成されるまでに、移動の軌跡に応じたタッチ座標を含む複数のタッチ情報が生成されているが、図面の簡略化のために図１７では省略している。
【０１０７】
一方、ＮＦＣ端末がタッチパネル１１４に接触したまま移動した場合、タッチ情報生成部１３２は、新たに生成したタッチ情報のタッチＩＤを、ＮＦＣ端末がタッチパネル１１４に接触したときに生成されるタッチ情報のタッチＩＤとする。具体的には、図５の（ｂ）に示すように、タッチＩＤをＴ０００１のままとする。そして、タッチ情報生成部１３２は、生成したタッチ情報を後述する対応付け部２１３に出力する。
【０１０８】
制御部２１ｂは、実施形態１にて説明した制御部２１と異なり、アプリ実行部２１１に代えて、アプリ実行部２１１ｂを含む。また、制御部２１ｂは新たに対応付け部２１３を含む。
【０１０９】
対応付け部２１３は、シグナル情報処理部１３から取得したタッチ情報と、ＮＦＣ通信制御部１２から取得したＮＦＣ通信情報とを対応付けて記憶する。具体的には、対応付け部２１３は、シグナル情報処理部１３からタッチ情報を取得したとき、当該タッチ情報が指示体の接触を示すタッチ情報であるか、ＮＦＣ端末の接触を示すタッチ情報であるかを判定する。具体的には、タッチ情報に、ＮＦＣ端末の接触を示すタッチ情報における特有の情報である、サイズ、角度、形状コードが含まれているか否かを判定する。なお、上記特有の情報は、上記の例に限定されるものではない。
【０１１０】
ここで、指示体の接触を示すタッチ情報であると判定した場合、すなわち、上記特有の情報が含まれていないと判定した場合、対応付け部２１３は、当該タッチ情報が示す接触を、指示体の接触（指タッチ）として以降の処理を行う。具体的には、対応付け部２１３は当該タッチ情報をアプリ実行部２１１ｂに出力する。
【０１１１】
一方、ＮＦＣ端末の接触を示すタッチ情報である場合、すなわち、上記特有の情報が含まれていると判定した場合、ＮＦＣ通信制御部１２からＮＦＣ通信情報を取得したか否かを確認する。ここで、ＮＦＣ通信情報を取得している場合、取得したタッチ情報とＮＦＣ通信情報とを対応付けることにより対応付けデータ２２４を生成し、記憶部２２ｂに記憶する。ここで、図１８を参照して、対応付けデータ２２４の詳細について説明する。図１８は、対応付けデータ２２４の具体例を示す図である。対応付けデータ２２４は、図１８に示すように、図１６の（ｂ）を参照して説明したタッチ情報にＮＦＣ通信情報を追加したものである。なお、本実施形態では、ＮＦＣ端末は、キャラクタ育成ゲームのアプリケーションにて使用するキャラクタカードであるＮＦＣ端末３０であるものとして説明する。キャラクタ育成ゲームのアプリケーションおよびキャラクタカードの詳細については後述する。また、対応付けデータ２２４に含まれる各種情報については、既に説明しているためここでの説明を省略する。対応付け部２１３は、タッチ情報にＮＦＣ通信情報を追加することで生成した対応付けデータ２２４を、記憶部２２ｂに記憶する。また、対応付け部２１３は、生成した対応付けデータ２２４を、アプリ実行部２１１ｂに出力する。
【０１１２】
これに対して、ＮＦＣ通信情報を取得していない場合、対応付け部２１３は、取得したタッチ情報に含まれるタッチＩＤを確認し、記憶部２２ｂに記憶されている対応付けデータ２２４のうち、当該タッチＩＤを含む対応付けデータ２２４があるか否かを確認する。このような対応付けデータ２２４がある場合、当該対応付けデータ２２４に含まれるタッチ情報部分を、取得したタッチ情報の内容に更新する。これにより、ＮＦＣ端末３０と情報処理装置１ｂとがＮＦＣを実行したことにより生成されたＮＦＣ通信情報と、当該ＮＦＣ端末３０が移動した後のタッチ情報とが対応付けられて記憶されることとなる。よって、情報処理装置１ｂは、タッチパネル１１４上におけるＮＦＣ端末３０の最新の位置を示す情報を保持することができる。また、対応付け部２１３は、更新した対応付けデータ２２４を、アプリ実行部２１１ｂに出力する。なお、取得したタッチ情報に含まれるタッチＩＤを含む対応付けデータ２２４が無い場合、対応付け部２２３は取得したタッチ情報を削除する。
【０１１３】
本実施形態に係るアプリ実行部２１１ｂは、アプリケーションを起動するための指示体の接触を示すタッチ情報を取得すると、記憶部２２ｂに記憶されているアプリケーション２２１のうち、取得したタッチ情報に応じたアプリケーション２２１を実行する。そして、画像生成部２１２に画像の生成を指示する。
【０１１４】
また、本実施形態に係るアプリ実行部２１１ｂは、対応付け部２１３から取得した対応付けデータ２２４を参照して、ＮＦＣ端末３０の透明領域に対応する表示部１１２の領域を特定する。具体的には、アプリ実行部２１１ｂは、対応付けデータ２２４に含まれるタッチ座標、サイズ、および透明領域情報を参照して、ＮＦＣ端末３０の近接面に対応する表示部１１２の領域を特定する。続いてアプリ実行部２１１ｂは、画像生成部２１２に、特定した座標が示す領域の形状およびサイズに合わせた画像を生成し、特定した領域に当該画像を表示させるよう指示する。
【０１１５】
（情報処理装置１ｂが実行する処理の流れ）
次に、図１９を参照して、情報処理装置１ｂが実行する処理の流れについて説明する。図１９は、情報処理装置１ｂが実行する処理の流れの一例を示すフローチャートである。
【０１１６】
まず、シグナル情報処理部１３は、タッチパネル１１４から出力されるシグナル情報を待機している（Ｓ１１）。シグナル情報を取得した場合（Ｓ１１でＹＥＳ）、物体判定部１３１は、シグナル情報を用いてセンサシグナルの発生範囲を特定し（Ｓ１２）、当該範囲が所定の範囲より広いか否かを判定する（Ｓ１３）。そして、判定結果をタッチ情報生成部１３２に出力する。センサシグナルの発生範囲が所定範囲以下である場合（Ｓ１３でＮＯ）、タッチ情報生成部１３２は、センサシグナルにおけるピーク座標を特定する（Ｓ１６）。
【０１１７】
一方、センサシグナルの発生範囲が所定範囲より広い場合（Ｓ１３でＹＥＳ）、タッチ情報生成部１３２は、端末候補領域を特定し、当該領域の外周形状を整形する（Ｓ１４）。さらに、タッチ情報生成部１３２は、当該矩形におけるタッチ座標、サイズ、角度を算出する（Ｓ１５）。
【０１１８】
続いて、タッチ情報生成部１３２は、タッチ情報を生成し（Ｓ１７）、対応付け部２１３に生成したタッチ情報を出力する（Ｓ１８）。続いて、対応付け部２１３は、対応付け処理を実行する（Ｓ１９）。なお、対応付け処理の詳細については後述する。対応付け処理が終了すると、ステップＳ１１の処理に戻る。
【０１１９】
（対応付け処理の流れ）
次に、図２０を参照して、図１９のフローチャートに含まれる対応付け処理の流れについて説明する。図２０は、図１９のフローチャートに含まれる対応付け処理の流れの一例を示すフローチャートである。
【０１２０】
まず、対応付け部２１３は、タッチ情報を待機する状態となっている（Ｓ２１）。タッチ情報を取得した場合（Ｓ２１でＹＥＳ）、対応付け部２１３は、取得したタッチ情報がＮＦＣ端末の接触を示すタッチ情報であるか否かを判定する（Ｓ２２）。具体的には、タッチ情報が図１６の（ｂ）に示すタッチ情報であるか否か、すなわち、タッチ情報に、ＮＦＣ端末の接触を示すタッチ情報における特有の情報である、サイズ、角度、形状コードが含まれているか否かを判定する。ＮＦＣ端末の接触を示すタッチ情報でない場合（Ｓ２２でＮＯ）、対応付け部２１３は、当該タッチ情報が示す接触を指タッチとして処理し（Ｓ２５）、対応付け処理は終了する。
【０１２１】
一方、ＮＦＣ端末の接触を示すタッチ情報である場合（Ｓ２２でＹＥＳ）、対応付け部２１３は、ＮＦＣ通信情報を取得したか否かを確認する（Ｓ２３）。ＮＦＣ情報を取得している場合（Ｓ２３でＹＥＳ）、対応付け部２１３は、タッチ情報とＮＦＣ情報とを対応付けて記憶部２２ｂに記憶し（Ｓ２４）、対応付け処理は終了する。
【０１２２】
これに対して、ＮＦＣ情報を取得していない場合（Ｓ２３でＮＯ）、対応付け部２１３は、取得したタッチ情報と同一のタッチＩＤを含む対応付けデータ２２４があるか否かを確認する（Ｓ２６）、対応付けデータ２２４がある場合（Ｓ２６でＹＥＳ）、対応付け部２２３は、記憶部２２ｂに記憶されている対応付けデータ２２４のタッチ情報部分を更新する（Ｓ２７）。以上で、対応付け処理は終了する。
【０１２３】
一方、対応付けデータ２２４が無い場合（Ｓ２６でＮＯ）、対応付け部２２３は、取得したタッチ情報を削除する（Ｓ２８）。以上で、対応付け処理は終了する。
【０１２４】
なお、本実施形態における、画像表示領域に合わせた画像の表示処理の流れは、実施形態１にて説明した図９と同様のため、ここでの説明を省略する。本実施形態では、ステップＳ４の画像表示領域の算出において、透明領域情報とともに、センサシグナルに応じたタッチ情報を用いる。
【０１２５】
（アプリケーションの一例）
次に、図２１を参照して、本実施形態に係る情報処理装置１ｂが実行するアプリケーション２２１ｂの一例を説明する。図２１は、本実施形態に係る情報処理装置１ｂがアプリケーション２２１ｂを実行したときの遷移図である。
【０１２６】
図２１に示すアプリケーション２２１ｂは、キャラクタの育成を行うアプリケーションである。なお、このアプリケーション２２１ｂは一例であり、本実施形態に係る情報処理装置１ｂが実行するアプリケーションはこの例に限定されない。
【０１２７】
図２１の（ａ）に示すように、ユーザはＮＦＣ端末（キャラクタカード）３０をＮＦＣアンテナ１１３に接触させる。これにより、ＮＦＣ端末３０が保持している情報、すなわち、ＮＦＣ端末ＩＤ、端末種別、端末データ（キャラクタの画像データやキャラクタのステータスなど、および透明領域情報）が情報処理装置１ｂに送信される。
【０１２８】
なお、表示駆動部２３は、ＮＦＣアンテナ１１３の位置に対応する表示部１１２の領域に、キャラクタカードを近接させる位置（ＮＦＣアンテナ１１３の位置）をユーザに示すためのガイド画像４１を表示させている。これにより、ユーザはキャラクタカードを近接させる位置を容易に認識することができる。
【０１２９】
対応付け部２１３は、ＮＦＣアンテナ１１３の位置におけるキャラクタカードのタッチ情報と、キャラクタカードから送信された上記情報を含むＮＦＣ通信情報とを対応付けて、対応付けデータ２２４として記憶部２２に記憶するとともに、対応付けデータ２２４をアプリ実行部２１１ｂに出力する。
【０１３０】
アプリ実行部２１１ｂは、対応付けデータ２２４を参照して、画像表示領域を特定する。そして、当該画像表示領域の情報と、ＮＦＣ通信情報に含まれるキャラクタの画像データを画像生成部２１２に出力する。これにより、画像生成部２１２は、カードが示すキャラクタの画像を生成する。この画像は、図２１の（ｂ）に示すように、画像表示領域、すなわち、カードの透明領域３１内に収まるサイズの画像４２である。なお、画像生成部２１２は、キャラクタの画像が透明領域３１内に収まるように、必要に応じて画像のサイズを調整してもよい。
【０１３１】
続いて、図２１の（ｂ）に示すように、画像生成部２１２が生成した画像を取得した表示駆動部２３が、画像を表示する。
【０１３２】
次に、ユーザはキャラクタカードをＮＦＣディスプレイ１１ｂに接触させた状態で移動させる。この移動に伴い、対応付け部２２３は、記憶部２２ｂに記憶されたキャラクタカードの対応付けデータ２２４のタッチ情報部分が更新する。また、対応付け部２１３は、対応付けデータ２２４が更新されるたびに、更新後の対応付けデータ２２４をアプリ実行部２１１ｂに出力する。
【０１３３】
アプリ実行部２１１ｂは、対応付けデータ２２４を参照して、画像表示領域を特定する。ここで特定した画像表示領域は、キャラクタカードが移動した後の位置である。そして、当該画像表示領域の情報と、ＮＦＣ通信情報に含まれるキャラクタの画像データを画像生成部２１２に出力する。これにより、表示駆動部２３は、図２１の（ｃ）に示すように、キャラクタカードが移動した後の位置において、カードの透明領域３１内に収まるサイズの画像４２を表示させる。
【０１３４】
なお、ＮＦＣ通信制御部１２は、育成ゲームの進行に応じてキャラクタのステータスなどの端末データが変化した場合、変化後の端末データを、ＮＦＣを用いてカードに送信してもよい。カードに送信される情報はキャラクタのステータスに限定されず、例えばゲームの進行状況を示す情報などであってもよい。
【０１３５】
また、本実施形態では、キャラクタの画像やキャラクタのステータスなど、ゲームに関する情報をキャラクタカードが保持している構成であったが、これらの情報の代わりに、キャラクタカードがユーザを識別する情報を保持していてもよい。この場合、アプリ実行部２１１ｂは、ユーザを識別する情報を取得すると、当該情報を用いて育成ゲームを管理するサーバにアクセスし、ユーザを識別する情報に対応付けられたゲームに関する情報を取得する。
【０１３６】
以上のように、本実施形態に係る情報処理装置１ｂは、ＮＦＣ端末３０から受信した情報を含むＮＦＣ通信情報と、タッチ情報とを対応付ける。そして、タッチ情報に含まれるタッチ座標が示す位置において、ＮＦＣ端末３０の透明領域３１内に収まる画像を表示する。これにより、ＮＦＣ通信情報と、タッチ情報とを連動させた処理を行うことができる。また、タッチ情報からＮＦＣ端末３０のサイズや角度を取得することができるので、とＮＦＣ端末３０の透明領域を正確に特定することができる。
【０１３７】
〔実施形態４〕
本発明のさらに別の実施形態について、図２２および図２３に基づいて説明すれば、以下のとおりである。なお、説明の便宜上、前記実施形態にて説明した部材と同じ機能を有する部材については、同じ符号を付記し、その説明を省略する。
【０１３８】
図２２は、本実施形態に係る情報処理装置１ｃが備えるＮＦＣディスプレイ１１ｃの具体的構成を示す図である。ＮＦＣディスプレイ１１ｃは、実施形態３にて説明したＮＦＣディスプレイ１１ｂと異なり、ＮＦＣ通信部１１１ｃを備えている。ＮＦＣ通信部１１１ｃは、実施形態１にて説明したＮＦＣ通信部１１１と異なり、複数のＮＦＣアンテナ１１３を備えている。なお、図２２に示すＮＦＣ通信部１１１ｃは、複数のＮＦＣアンテナ１１３がマトリクス状に配置されているが、ＮＦＣアンテナ１１３の数および配置は、図２２の例に限定されるものではない。なお、本実施形態における複数のＮＦＣアンテナ１１３には、それぞれ異なるアンテナＩＤが設定されている。
【０１３９】
なお、情報処理装置１ｃは、ＮＦＣディスプレイ１１ｂに代えてＮＦＣディスプレイ１１ｃを備えるほかは、実施形態３で説明した情報処理装置１ｂと同様であるため、本実施形態では、情報処理装置１ｂの要部構成を示すブロック図および各部材の説明を省略する。
【０１４０】
（アプリケーションの一例）
次に、図２３を参照して、本実施形態に係る情報処理装置１ｃが実行するアプリケーション２２１ｃの一例を説明する。図２３は、本実施形態に係る情報処理装置１ｃがアプリケーション２２１ｃを実行したときの遷移図である。
【０１４１】
図２３に示すアプリケーション２２１ｃは、車や電子機器などの内部を透視するアプリケーションである。なお、このアプリケーション２２１ｃは一例であり、本実施形態に係る情報処理装置１ｃが実行するアプリケーションはこの例に限定されない。
【０１４２】
ＮＦＣ通信制御部１２は、アプリ実行部２１１ｂの指示を受けて、複数のＮＦＣアンテナ１１３のうち、図２３の（ａ）に示すＮＦＣアンテナ１１３ａ、ＮＦＣアンテナ１１３ｂ、およびＮＦＣアンテナ１１３ｃをアクティブにする。そして、表示駆動部２３は、図２３の（ａ）に示すように、アプリ実行部２１１ｂの指示で画像生成部２１２が生成したガイド画像４１ａ、ガイド画像４１ｂ、およびガイド画像４１ｃを、それぞれＮＦＣアンテナ１１３ａ、ＮＦＣアンテナ１１３ｂ、およびＮＦＣアンテナ１１３ｃの位置に表示させている。
【０１４３】
ユーザは、図２３の（ａ）および図２３の（ｂ）に示すように、ＮＦＣディスプレイ１１ｃにおける、ＮＦＣアンテナ１１３ａ、ＮＦＣアンテナ１１３ｂ、およびＮＦＣアンテナ１１３ｃのいずれかの位置にＮＦＣ端末３０（以下、透視カード）を接触させる（図２３の例ではＮＦＣアンテナ１１３ｃに接触させている）。これにより、透視カードが保持している情報（ＮＦＣ端末ＩＤ、端末種別、および端末データとしての透明領域情報など）が情報処理装置１ｃに送信される。
【０１４４】
続いて、ＮＦＣ通信制御部１２は、透視カードから受信した情報に、ＮＦＣアンテナ１１３ｃを示すアンテナＩＤを対応付けて、ＮＦＣ通信情報を生成する。ＮＦＣ通信制御部１２は、生成したＮＦＣ通信情報を対応付け部２１３に出力する。
【０１４５】
続いて、対応付け部２１３は、ＮＦＣアンテナ１１３ｃの位置における透視カードのタッチ情報と、取得したＮＦＣ通信情報とを対応付けて、対応付けデータ２２４として記憶部２２に記憶する。さらに、対応付け部２１３は、対応付けデータ２２４をアプリ実行部２１１ｂに出力する。
【０１４６】
次に、図２３の（ｂ）に示すように、ユーザはＮＦＣディスプレイ１１ｃに接触させた状態で、透視カードを車における内装を見たい位置に移動させる。この移動に伴い、対応付け部２１３は、対応付けデータ２２４のタッチ情報部分を更新し、更新後の対応付けデータ２２４をアプリ実行部２１１ｂに出力する。
【０１４７】
アプリ実行部２１１ｂは、対応付けデータ２２４のアンテナＩＤから、透視カードの位置に表示すべき画像（図２３の例の場合、車の内装の画像）を特定する。また、アプリ実行部２１１ｂは、対応付けデータ２２４のタッチ座標および透明領域情報を参照して、透視カードの透明領域に対応する表示部１１２の領域を特定する。そして、記憶部２２に記憶している車の内装の画像（不図示）における、特定した領域に対応する部分を特定し、特定した領域の情報を画像生成部２１２に出力するとともに、特定した部分の画像を生成するよう画像生成部２１２に指示する。
【０１４８】
画像生成部２１２は、アプリ実行部２１１ｂからの指示に応じて、画像を生成し、取得した領域の情報とともに表示駆動部２３に出力する。表示駆動部２３は、図２３の（ｃ）に示すように、取得した領域の情報が示す表示部１１２の位置に、取得した画像を表示させる。
【０１４９】
以上のように、本実施形態に係る情報処理装置１ｃは、ＮＦＣ通信制御部１２が、ＮＦＣ通信を行ったＮＦＣアンテナ１１３を特定する。そして、ＮＦＣ端末３０が所定の位置（車が表示された位置）に移動したとき、特定したＮＦＣアンテナ１１３に応じた画像を、ＮＦＣ端末３０の位置およびＮＦＣ端末３０の透明領域から特定した領域に表示させる。これによりユーザは、ＮＦＣ端末３０を近接させる位置（近接させるＮＦＣアンテナ１１３）を変えることで、その後、ＮＦＣ端末３０を移動させた位置が同じであったとしても、ＮＦＣアンテナ１１３に応じた異なる画像を視認することができる。つまり、近接させるＮＦＣアンテナ１１３を変えることで、情報処理装置１ｃに異なる処理を実行させることができる。
【０１５０】
〔実施形態５〕
本発明のさらに別の実施形態について、図２４および図２５に基づいて説明すれば、以下のとおりである。なお、説明の便宜上、前記実施形態にて説明した部材と同じ機能を有する部材については、同じ符号を付し、その説明を省略する。
【０１５１】
図２４は、本実施形態に係る情報処理装置１ｄの要部構成の一例を示すブロック図である。情報処理装置１ｄは、画像を表示する表示装置１０ｄと、表示装置１０ｄを制御する制御装置２０ｄとが一体となっている。なお、情報処理装置１ｄは、表示装置１０ｄと制御装置２０ｄとが別体であってもよい。この場合、表示装置１０ｄと制御装置２０ｄとは、通信部（不図示）を介して情報の送受信を行う。なお、情報の送受信は有線によるものであってもよいし、無線によるものであってもよい。また、表示装置１０ｄと制御装置２０ｄとが、ルータなどの別装置を介して情報の送受信を行ってもよい。
【０１５２】
情報処理装置１ｄは、実施形態１にて説明した情報処理装置１と異なり、ＮＦＣディスプレイ１１、およびＮＦＣ通信制御部１２を備えない。また、情報処理装置１ｄは、新たにタッチディスプレイ１１ｄを備える。また、情報処理装置１ｄは、実施形態２にて説明した情報処理装置１ｂと同様に、シグナル情報処理部１３を備える。また、情報処理装置１ｄは、実施形態１にて説明した制御部２１および記憶部２２に代えて制御部２１ｄおよび記憶部２２ｄを備える。
【０１５３】
タッチディスプレイ１１ｄは、表示部１１２およびタッチパネル１１４を備えている。なお、表示部１１２およびタッチパネル１１４については、実施形態１にて既に説明しているためここでの説明を省略する。
【０１５４】
制御部２１ｄは、実施形態１にて説明した制御部２１と異なり、アプリ実行部２１１と異なり、アプリ実行部２１１ｄを含む。
【０１５５】
アプリ実行部２１１ｄは、アプリケーションを起動するための指示体の接触を示すタッチ情報を取得すると、記憶部２２ｄに記憶されているアプリケーション２２１のうち、取得したタッチ情報に応じたアプリケーション２２１を実行する。そして、画像生成部２１２に画像の生成を指示する。このとき、アプリ実行部２１１ｄは、ガイド画像を表示する位置を、ガイド位置情報２２５として記憶する。ガイド位置情報２２５は例えば、ガイド画像が矩形の場合、表示部１１２に仮想的に形成されたＸＹ平面におけるガイド画像の各頂点の座標（表示解像度上のＸＹ平面座標）であるが、ガイド画像の位置およびサイズが特定できる情報であれば、この例に限定されない。なお、本実施形態では複数のガイド画像が表示されるものとして説明するが、表示されるガイド画像は１つであってもよい。
【０１５６】
また、アプリ実行部２１１ｄは、シグナル情報処理部１３からタッチ情報を取得したとき、ガイド位置情報２２５を参照し、当該タッチ情報が示すタッチ座標が、ガイド位置情報２２５が示す領域内にあるか否かを判定する。そして、領域の範囲内にあると判定したとき、当該領域中に表示されているガイド画像を特定し、特定したガイド画像に応じた処理を特定する。そして、アプリ実行部２１１ｄは、特定したガイド画像を示す情報と、タッチ情報とを対応付けて保持しておく。以降、この対応付けた情報を保持情報と称する。なお、アプリ実行部２１１ｄは、ガイド画像を示す情報と、タッチ情報とを対応付けて、記憶部２２ｄに格納してもよい。
【０１５７】
続いて、アプリ実行部２１１ｄは、以降に取得するタッチ情報について同様の処理を行う。ここで、アプリ実行部２１１ｄが、取得したタッチ情報が示すタッチ座標が、前回特定したガイド画像とは別のガイド画像の領域内にあると判定された場合、アプリ実行部２１１ｄは、保持情報を破棄し、当該別のガイド画像を示す情報と、取得したタッチ情報とを対応付け、新たな保持情報とする。なお、この処理は表示されるガイド画像は１つである場合は省略してもよい。
【０１５８】
一方、取得したタッチ情報が示すタッチ座標が、上記別のガイド画像の領域内に無いと判定された場合（表示されるガイド画像が１つの場合、新たなタッチ情報を取得した場合）、保持情報に含まれるタッチ情報を更新する。
【０１５９】
そして、アプリ実行部２１１ｄは、端末装置が所定の位置に移動したことを示すタッチ座標を取得したときに、記憶部２２ｄに記憶されている端末情報２２６を用いて当該端末装置の透明領域を特定し、当該透明領域内に、ガイド画像に応じた画像を生成するよう画像生成部２１２に指示する。この処理の詳細については後述する。
【０１６０】
ここで、端末情報２２６は、例えば端末装置の透明領域のサイズおよび端末装置における透明炉領域の位置を特定するための情報である。例えば、端末装置が矩形の場合、実施形態１にて説明した透明領域形状コードおよび透明領域位置情報であってもよいが、この例に限定されるものではない。また、端末情報２２６は、端末装置のタッチディスプレイ１１ｄに対する近接面の形状およびサイズを示す情報を含んでいてもよい。この場合、アプリ実行部２１１ｄは、タッチ情報に含まれる形状コードとサイズと、端末情報２２６が示す近接面の形状およびサイズとの差が所定範囲内であるか否かを確認し、所定範囲内でない場合、端末情報２２６を用いてタッチ情報を修正してもよい。
【０１６１】
記憶部２２ｄは、実施形態１にて説明した記憶部２２と異なり、ＮＦＣ端末情報２２２およびアンテナ位置情報２２３を記憶していない。また、記憶部２２ｄは、新たにガイド位置情報２２５および端末情報２２６を記憶している。なお、ガイド位置情報２２５および端末情報２２６については、既に説明したため、ここでの説明を省略する。
【０１６２】
（アプリケーションの一例）
次に、図２５を参照して、本実施形態に係る情報処理装置１ｄが実行するアプリケーション２２１ｄの一例を説明する。図２５は、本実施形態に係る情報処理装置１ｄがアプリケーション２２１ｄを実行したときの遷移図である。
【０１６３】
図２５に示すアプリケーション２２１ｄは、実施形態４にて説明したアプリケーション２２１ｄと同様に、車や電子機器などの内部を透視するアプリケーションである。なお、このアプリケーション２２１ｄは一例であり、本実施形態に係る情報処理装置１ｄが実行するアプリケーションはこの例に限定されない。
【０１６４】
表示駆動部２３は、図２５の（ａ）に示すように、画像生成部２１２が生成した画像を、タッチディスプレイ１１ｄの表示部１１２に表示させる。当該画像には、それぞれ異なる透視画像を表示させるためのガイド画像４１ａ〜４１ｃが含まれている。
【０１６５】
ユーザは、図２５の（ａ）および図２５の（ｂ）に示すように、ガイド画像４１ａ、ガイド画像４１ｂ、およびガイド画像４１ｃのいずれかの位置に端末装置４０（以下、透視カード）を接触させる（図２５の例では、ガイド画像４１ｃの位置に接触させている）。なお、端末装置４０は、前述したＮＦＣ端末３０と異なり、近距離無線通信を実行するための構成を備えていないカード状の端末装置である。なお、端末装置４０は図２５に示すカード状の端末装置に限定されるものではない。
【０１６６】
ガイド画像４１ｃの位置に端末装置４０を接触させることにより、アプリ実行部２１１ｄが、当該接触に応じてシグナル情報処理部１３によって生成されたタッチ情報を取得する。アプリ実行部２１１ｄは、取得したタッチ情報とガイド画像４１ｃを示す情報とを対応付けて保持する。
【０１６７】
次に、図２５の（ｂ）に示すように、ユーザは透視カードを車における内装を見たい位置に移動させる。この移動に伴い、アプリ実行部２１１ｄは、保持している情報（保持情報）に含まれるタッチ情報を更新する。そして、アプリ実行部２１１ｄは、ガイド画像を示す情報から、透視カードの位置に表示すべき画像（図２５の例の場合、車の内装の画像）を特定する。また、アプリ実行部２１１ｄは、タッチ情報に含まれるタッチ座標および端末情報２２６を参照して、透視カードの透明領域に対応する表示部１１２の領域を特定する。そして、記憶部２２に記憶している車の内装の画像（不図示）における、特定した領域に対応する部分を特定し、特定した領域の情報を画像生成部２１２に出力するとともに、特定した部分の画像を生成するよう画像生成部２１２に指示する。
【０１６８】
画像生成部２１２は、アプリ実行部２１１ｄからの指示に応じて、画像を生成し、取得した領域の情報とともに表示駆動部２３に出力する。表示駆動部２３は、図２５の（ｃ）に示すように、取得した領域の情報が示す表示部１１２の位置に、取得した画像を表示させる。
【０１６９】
以上のように、本実施形態に係る情報処理装置１ｄは、端末装置４０が接触した位置に表示されているガイド画像を特定し、端末装置４０が所定の位置（車が表示された位置）に移動したとき、特定したガイド画像に応じた画像を、端末装置４０の透明領域内に表示させる。これによりユーザは、端末装置４０を接触させる位置（ガイド画像４１が表示された位置）を変えることで、その後、端末装置４０を移動させた位置が同じであったとしても、ガイド画像４１に応じた異なる画像を視認することができる。つまり、端末装置を接触させるガイド画像４１を変えることで、情報処理装置１ｄに異なる処理を実行させることができる。
【０１７０】
〔実施形態６〕
本発明のさらに別の実施形態について、図２６〜図２９に基づいて説明すれば、以下のとおりである。なお、説明の便宜上、前記実施形態にて説明した部材と同じ機能を有する部材については、同じ符号を付し、その説明を省略する。
【０１７１】
図２６および図２７は、本実施形態に係るカード型のＮＦＣ端末３０ｉの各面を正投影図として描いた図である。図２６の（ａ）はＮＦＣ端末３０ｉの正面図であり、図２６の（ｂ）はＮＦＣ端末３０ｉの平面図であり、図２６の（ｃ）はＮＦＣ端末３０ｉの底面図であり、図２６の（ｄ）はＮＦＣ端末３０ｉの左側面図であり、図２６の（ｅ）はＮＦＣ端末３０ｉの右側面図である。また、図２７の（ａ）はＮＦＣ端末３０ｉの正面図（図２６の（ａ）と同様）であり、図２７の（ｂ）はＮＦＣ端末３０ｉの背面図である。
【０１７２】
本実施形態に係るＮＦＣ端末３０ｉは、図２６に示すように、上述したＮＦＣ端末３０と同様に、透明領域３１ｉと不透明領域３６ｉとを有している。また、本実施形態に係るＮＦＣ端末３０ｉは、図２６の（ａ）における自端末の右側端部に持手部３７ｉを備えている。持手部３７ｉは、ユーザが把持することが可能な板状の部材である。ＮＦＣ端末３０ｉが持手部３７ｉを備えることにより、ユーザはＮＦＣ端末３０ｉをＮＦＣディスプレイ１１上で移動させる場合に、持手部３７ｉを持って移動させることができる。これにより、ＮＦＣ端末３０ｉを容易にＮＦＣディスプレイ１１上にて移動させることができる。
【０１７３】
なお、ＮＦＣ端末３０ｉは、図２６の（ａ）に示すように、自端末の右側端部に持手部３７ｉを備えるものに限定されない。例えば、図２６の（ａ）における自端末の左側端部や、上側端部、下側端部であってもよい。また、持手部３７ｉは端部から透明領域までの間に設けられてもよい。
【０１７４】
また、持手部は、図２６に示す板状の持手部３７ｉに限定されない。図２８は、ＮＦＣ端末３０ｊの各面を正投影図として描いた図である。図２８の（ａ）はＮＦＣ端末３０ｊの正面図であり、図２８の（ｂ）はＮＦＣ端末３０ｊの平面図であり、図２８の（ｃ）はＮＦＣ端末３０ｊの底面図であり、図２８の（ｄ）はＮＦＣ端末３０ｊの左側面図であり、図２８の（ｅ）はＮＦＣ端末３０ｊの右側面図である。なお、ＮＦＣ端末３０ｊの背面図は、図２７の（ｂ）に示すＮＦＣ端末３０ｉの背面図と同様であるため、図示を省略している。
【０１７５】
ＮＦＣ端末は、図２８に示すように、棒状の持手部３７ｊを備えるＮＦＣ端末３０ｊであってもよい。つまりＮＦＣ端末３０に備えられる持手部は、ユーザが把持可能なものであればよく、その構造は特に限定されない。
【０１７６】
図２９は、棒状の持手部の別の例を示す図である。例えば、棒状の持手部は、図２９の（ａ）に示すように、キャラクタを模した持手部３７ｋであってもよい。また、図２９に示すように、当該持手部３７ｋはＮＦＣ端末３０に対して着脱可能であってもよい。
【０１７７】
着脱可能である場合、ＩＣチップ３２およびアンテナコイル３３ｋ、すなわち、近距離無線通信を実行するための構成は、図２９の（ｂ）に示すように、持手部３７ｋの底面に設けられていてもよい。これにより、ＩＣチップ３２に持手部３７ｋが示すキャラクタの情報を格納しておけば、図２９の（ｃ）に示すＮＦＣ端末３０ｋに取り付ける持手部３７ｋを別のキャラクタを示すものに変えることで、例えば別のキャラクタを情報処理装置に表示させることができる。よって、ＮＦＣ端末３０ｋは共通のものを用いることができる。
【０１７８】
なお、実施形態３のように、ＮＦＣ端末３０の接触（または近接）をタッチパネル１１４が検知する構成の場合、ＮＦＣ端末３０における近接面の形状をタッチパネル１１４が検知できるように、ＮＦＣ端末３０は近接面の外周形状に合わせた導電性配線３８ｋ（図２９の（ｃ）参照）を有していることが好ましい。
【０１７９】
〔ソフトウェアによる実現例〕
情報処理装置１（および情報処理装置１ａ〜１ｄ）の制御ブロック（特にＮＦＣ通信制御部１２、シグナル情報処理部１３、制御部２１、制御部２１ｂ、制御部２１ｄ）は、集積回路（ＩＣチップ）等に形成された論理回路（ハードウェア）によって実現してもよいし、ＣＰＵ（Central Processing Unit）を用いてソフトウェアによって実現してもよい。
【０１８０】
後者の場合、情報処理装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１８１】
〔まとめ〕
本発明の態様１に係る情報処理装置１は、透光性部分（透明領域３１）を有する端末装置（ＮＦＣ端末３０）を重畳させることが可能な表示部（ＮＦＣディスプレイ１１）を備える情報処理装置であって、上記表示部はタッチパネル（タッチパネル１１４）を有し、上記表示部に対して上記端末装置が重畳された場合に、上記タッチパネルから出力された上記端末装置の位置情報に応じて、上記透光性部分に対応する上記表示部の領域を特定する領域特定部（アプリ実行部２１１）と、特定された上記領域内に画像を表示させる表示制御部（表示駆動部２３）と、を備える。
【０１８２】
上記の構成によれば、タッチパネルから出力された端末装置の位置情報に応じて、端末装置の透光性部分に対応する表示部の領域を特定し、当該領域に画像を表示させる。換言すれば、透光性部分に対応する表示部の領域を特定するために、タッチパネルを設けている。これにより、画像を透光性部分に重なるように表示させるとともに、筐体の小型化が可能となる。
【０１８３】
本発明の態様２に係る情報処理装置は、上記態様１において、上記領域特定部は、上記タッチパネルにおける、上記端末装置が接触または近接している位置を特定し、当該位置における上記端末装置が有する上記透光性部分に対応する上記表示部の領域を特定してもよい。
【０１８４】
上記の構成によれば、タッチパネルにおいて端末装置が接触または近接している位置を特定し、当該位置における透光性部分に対応する表示部の領域を特定する。これにより、端末装置の位置が正確に特定できるので、端末装置が有する透光性領域の位置、および当該透光性領域に対応する表示部の領域を正確に特定することができる。これにより、ユーザが視認できるように画像を表示することができる。
【０１８５】
本発明の態様３に係る情報処理装置は、上記態様１または２において、上記表示部は、上記端末装置と近距離無線通信を行う通信部（ＮＦＣアンテナ１１３）をさらに備えてもよい。
【０１８６】
上記の構成によれば、端末装置と近距離無線通信を行うことができるので、端末装置が有している情報を取得することができる。
【０１８７】
本発明の態様４に係る情報処理装置は、上記態様３において、上記領域特定部は、上記端末装置との近距離無線通信により取得した、当該端末装置の上記透光性部分を示す情報を用いて、当該透光性部分に対応する上記表示部の領域を特定してもよい。
【０１８８】
上記の構成によれば、端末装置の透光性部分を示す情報を近距離無線通信により取得し、当該情報を用いて上記透光性部分に対応する表示部の領域を特定する。これにより、予め上記透光性部分を示す情報を情報処理装置が有していなくても、透光性部分に対応する表示部の領域を特定することができる。また、透光性部分を示す情報を端末装置が有しているので、端末装置によって透光性部分のサイズや形状が変わる場合であっても、透光性部分に対応する表示部の領域を特定することができる。
【０１８９】
本発明の態様５に係る情報処理装置は、上記態様３または４において、上記表示制御部は、上記端末装置との近距離無線通信により取得した情報に応じた画像を表示させてもよい。
【０１９０】
上記の構成によれば、端末装置から取得した情報に応じた画像を表示させるので、端末装置と情報処理装置とが連携した画像表示を行うことができる。例えば、端末装置に記憶されているユーザを識別する情報を取得して、当該ユーザ特有の画像を表示することができる。
【０１９１】
本発明の態様６に係る情報処理装置は、上記態様３から５のいずれかにおいて、上記表示部は、上記通信部を複数有し、複数の上記通信部のうち、いずれの通信部で端末装置との近距離無線通信が行われたかを特定する特定部（ＮＦＣ通信制御部１２）をさらに備えてもよい。
【０１９２】
上記の構成によれば、複数の通信部のうち、近距離無線通信が行われた通信部を特定するので、端末装置が近接した位置を特定することができる。これにより、画像をどの位置に表示すべきかを特定することができる。
【０１９３】
本発明の態様７に係る情報処理装置は、上記態様６において、上記表示制御部は、上記特定部が特定した通信部に応じた画像を表示させてもよい。
【０１９４】
上記の構成によれば、特定部が特定した通信部に応じた画像を表示させる。つまりユーザは、端末装置を近接させる位置に応じて、異なる画像を表示部に表示させることができる。よって、表示部に表示させる画像の幅を広げることができる。例えば、同じ位置に画像を表示する場合でも、直前に近接させた通信部が異なる場合は、異なる画像を表示することができる。
【０１９５】
本発明の態様８に係る情報処理装置は、上記態様３から７のいずれかにおいて、上記表示制御部は、上記通信部の位置と対応する上記表示部の領域内に、上記通信部の位置を示すガイド画像を表示させてもよい。
【０１９６】
上記の構成によれば、通信部の位置と対応する表示部の領域内にガイド画像を表示するので、ユーザは、近距離無線通信を実行するために、端末装置を近接させる位置を容易に知ることができる。
【０１９７】
本発明の態様９に係る情報処理装置の制御方法は、透光性部分を有する端末装置を重畳させることが可能な表示部を備える情報処理装置の制御方法であって、上記表示部は、タッチパネルを有し、上記表示部に対して上記端末装置が重畳された場合に、上記タッチパネルから出力された上記端末装置の位置情報に応じて、上記透光性部分に対応する上記表示部の領域を特定する領域特定ステップ（Ｓ４）と、特定された上記領域内に画像を表示させる表示制御ステップ（Ｓ６）と、を含む。
【０１９８】
態様９に係る情報処理装置の制御方法は、上記態様１に係る情報処理装置と同様の作用効果を奏する。
【０１９９】
本発明の態様１０に係る情報処理装置１は、透光性部分（透明領域３１）を有する端末装置（ＮＦＣ端末３０）と近距離無線通信を行う通信部（ＮＦＣアンテナ１１３）を有する表示部（ＮＦＣディスプレイ１１）を備える情報処理装置であって、上記表示部における上記通信部の位置を示す通信位置情報（アンテナ位置情報２２３）を記憶している記憶部（記憶部２２）と、近距離無線通信が行われたことに応じて、上記表示部において上記端末装置が接触または近接している位置を、上記通信位置情報を用いて特定する端末位置特定部（アプリ実行部２１１）と、特定された上記端末装置が有する上記透光性部分に対応する上記表示部の領域を特定する領域特定部（アプリ実行部２１１）と、特定された上記領域内に画像を表示させる表示制御部（表示駆動部２３）と、を備える。
【０２００】
上記の構成によれば、記憶部に記憶されている通信位置情報を用いて端末装置が接触または近接している表示部の位置を特定することで、当該端末装置の透光性部分に対応する表示部の領域を特定し、当該領域に画像を表示させる。換言すれば、情報処理装置は、端末装置の位置を特定するための構成を有さずとも、端末装置の位置を特定することができる。これにより、画像を透光性部分に重なるように表示させるとともに、筐体の小型化が可能となる。
【０２０１】
本発明の態様１１に係る端末装置（ＮＦＣ端末３０）は、外部装置の表示部（ＮＦＣディスプレイ１１）に重畳させることで、当該外部装置と近距離無線通信を行う端末装置であって、上記端末装置を上記表示部に重畳させたときに、当該表示部に表示された画像の少なくとも一部を視認可能な透光性部分（透明領域３１）を有する。
【０２０２】
上記の構成によれば、表示部に表示された画像の少なくとも一部を視認可能な透光性部分を有するので、ユーザは、端末装置と重なる位置に表示された画像の少なくとも一部を視認することができる。これにより、端末装置との近距離無線通信に応じた画像の表示の自由度を高めることができる。
【０２０３】
本発明の態様１２に係る端末装置は、上記態様１１において、上記透光性部分は、空洞によって形成されていてもよい。
【０２０４】
上記の構成によれば、透光性部分が空洞３１３によって形成されている。これにより、透光性部分が透光性の材料によって形成されている場合に比べて、透光性部分が重なる位置に表示された画像の視認性が、透光性の材料に生じた汚れや傷などによって低下することが無くなる。
【０２０５】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の制御プログラム、およびそれを記録したコンピュータ読み取り可能な記録媒体も、本発明の範疇に入る。
【０２０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２０７】
本発明は、近距離無線通信を行う通信部を備える表示装置が端末装置から近距離無線通信によって取得した情報を処理する情報処理装置に利用することができる。
【符号の説明】
【０２０８】
１  情報処理装置
１１  ＮＦＣディスプレイ（表示部）
１２  ＮＦＣ通信制御部（特定部）
２３  表示駆動部（表示制御部）
３０  ＮＦＣ端末（端末装置）
３１  透明領域（透光性部分）
１１３  ＮＦＣアンテナ（通信部）
１１４  タッチパネル
２１１  アプリ実行部（領域特定部、端末位置特定部）
３１３  空洞
Ｓ４  領域特定ステップ
Ｓ６  表示制御ステップ
【図１】
2016185769.tif 000003
【図２】
2016185769.tif 000004
【図３】
2016185769.tif 000005
【図４】
2016185769.tif 000006
【図５】
2016185769.tif 000007
【図６】
2016185769.tif 000008
【図７】
2016185769.tif 000009
【図８】
2016185769.tif 000010
【図９】
2016185769.tif 000011
【図１０】
2016185769.tif 000012
【図１１】
2016185769.tif 000013
【図１２】
2016185769.tif 000014
【図１３】
2016185769.tif 000015
【図１４】
2016185769.tif 000016
【図１５】
2016185769.tif 000017
【図１６】
2016185769.tif 000018
【図１７】
2016185769.tif 000019
【図１８】
2016185769.tif 000020
【図１９】
2016185769.tif 000021
【図２０】
2016185769.tif 000022
【図２１】
2016185769.tif 000023
【図２２】
2016185769.tif 000024
【図２３】
2016185769.tif 000025
【図２４】
2016185769.tif 000026
【図２５】
2016185769.tif 000027
【図２６】
2016185769.tif 000028
【図２７】
2016185769.tif 000029
【図２８】
2016185769.tif 000030
【図２９】
2016185769.tif 000031
【手続補正書】
【提出日】平成29年11月20日(2017.11.20)
【手続補正１】
【補正対象書類名】明細書
【補正対象項目名】００１２
【補正方法】変更
【補正の内容】
【００１２】
［図１］実施形態１に係る情報処理装置の要部構成の一例を示すブロック図である。
［図２］ＮＦＣ端末の具体例を示す図である。
［図３］図２の（ａ）に示すＮＦＣ端末の各面を正投影図として描いた図である。
［図４］図３の（ａ）に示すＡ−Ａ断面におけるＮＦＣ端末の断面図である。
［図５］図３の（ｂ）に示すＢ−Ｂ断面におけるＮＦＣ端末の断面図である。
［図６］図１に示すＮＦＣディスプレイの具体的構成を示す図である。
［図７］（ａ）は、ＮＦＣ端末の一例を示す図面であり、（ｂ）は、（ａ）に示すＮＦＣ端末から取得した情報に基づくＮＦＣ通信情報の具体例を示す図である。
［図８］（ａ）は、ＮＦＣ端末の別の例を示す図面であり、（ｂ）は、（ａ）に示すＮＦＣ端末から取得した情報に基づくＮＦＣ通信情報の具体例を示す図である。
［図９］図１に示す情報処理装置が実行する処理の流れの一例を示すフローチャートである。
［図１０］図１に示す情報処理装置がアプリケーションを実行したときの遷移図である。
［図１１］実施形態２に係る情報処理装置が備えるＮＦＣディスプレイの具体的構成を示す図である。
［図１２］実施形態２に係る情報処理装置がアプリケーションを実行したときの遷移図である。
［図１３］実施形態３に係る情報処理装置の要部構成の一例を示すブロック図である。
［図１４］図１３に示すＮＦＣディスプレイの具体的構成を示す図である。
［図１５］図１５の（ａ）および（ｂ）は、図１３に示すタッチパネルの原理を説明する図であり、図１５の（ｃ）および（ｄ）は、上記タッチパネルに物体が接触したときに発生するセンサシグナルの例を示す図である。
［図１６］図１６の（ａ）は、形状解析によって特定される端末候補領域の各パラメータの一例を示す図であり、図１６の（ｂ）は、物体が矩形のＮＦＣ端末である場合のタッチ情報の具体例を示す図である。
［図１７］図１７の（ａ）は、ＮＦＣ端末がタッチパネルに接触したときに生成されるタッチ情報の具体例を示す図であり、図１７の（ｂ）は、ＮＦＣ端末がタッチパネルへの接触を維持したまま移動しているときのタッチ情報の具体例を示す図である。
［図１８］対応付けデータの具体例を示す図である。
［図１９］図１３に示す情報処理装置が実行する処理の流れの一例を示すフローチャートである。
［図２０］図１９のフローチャートに含まれる対応付け処理の流れの一例を示すフローチャートである。
［図２１］図１３に示す情報処理装置がアプリケーションを実行したときの遷移図である。
［図２２］実施形態４に係る情報処理装置が備えるＮＦＣディスプレイの具体的構成を示す図である。
［図２３］実施形態４に係る情報処理装置がアプリケーションを実行したときの遷移図である。
［図２４］実施形態５に係る情報処理装置の要部構成の一例を示すブロック図である。
［図２５］実施形態５に係る情報処理装置がアプリケーションを実行したときの遷移図である。
［図２６］実施形態６に係るカード型のＮＦＣ端末の各面を正投影図として描いた図である。
［図２７］実施形態６に係るカード型のＮＦＣ端末の正面図および背面図である。
［図２８］実施形態６の変形例に係るカード型のＮＦＣ端末の各面を正投影図として描いた図である。
［図２９］実施形態６の変形例に係る、棒状の持手部の別の例を示す図である。
【手続補正２】
【補正対象書類名】明細書
【補正対象項目名】００２５
【補正方法】変更
【補正の内容】
【００２５】
図４は、図３の（ａ）に示すＡ−Ａ断面におけるＮＦＣ端末３０の断面図である。ＮＦＣ端末３０の透明領域３１は、図４の（ａ）に示すように、透明板３１１および透明板３１２によって形成されている。なお、透明領域３１の構成は図４の（ａ）の例に限定されない。例えば、図４の（ｂ）に示すように、透明領域３１は、透明板３１２および空洞３１３によって形成されていてもよい。
【手続補正３】
【補正対象書類名】明細書
【補正対象項目名】００９３
【補正方法】変更
【補正の内容】
【００９３】
上記カードをタッチパネル１１４に接触させると、図１５の（ｃ）に示すようなセンサシグナル（位置情報）が発生する。これを上面図にて示すと、図１５の（ｄ）に示すように、当該カードの接触面（タッチパネル１１４に接触した面）の形状でセンサシグナルが発生していることが見て取れる。具体的には、アンテナコイルの形状に応じた形状のセンサシグナルが発生している。なお、ＮＦＣ機能を搭載した端末（ＮＦＣ端末）自体が導電性である場合は、端末の形状に応じた形状のセンサシグナルが発生する。タッチパネル１１４は、当該センサシグナルを示すシグナル情報をシグナル情報処理部１３に出力する。具体的には、タッチパネル１１４は１秒間に６０回〜２４０回の頻度でシグナル情報をシグナル情報処理部１３に出力する。
【手続補正４】
【補正対象書類名】明細書
【補正対象項目名】０１０６
【補正方法】変更
【補正の内容】
【０１０６】
ＮＦＣ端末がタッチパネル１１４に接触すると、タッチ情報生成部１３２は、上述した処理を実行して、図１７の（ａ）に示すタッチ情報を生成する。その後、ＮＦＣ端末がタッチパネル１１４に接触したまま移動すると、タッチ情報生成部１３２は、取得したシグナル情報に応じて、継続的にタッチ情報を生成する。このとき、ＮＦＣ端末は移動しているので、タッチ情報に含まれるタッチ座標は変化する。例えば図１７の（ａ）および（ｂ）に示すように、タッチ座標が（Ｘ，Ｙ）＝（５０，５０）から（Ｘ，Ｙ）＝（１００，８０）に変化する。なお実際は、図１７の（ａ）に示すタッチ情報が生成されてから、図１７の（ｂ）に示すタッチ情報が生成されるまでに、移動の軌跡に応じたタッチ座標を含む複数のタッチ情報が生成されているが、図面の簡略化のために図１７では省略している。
【手続補正５】
【補正対象書類名】明細書
【補正対象項目名】０１０７
【補正方法】変更
【補正の内容】
【０１０７】
一方、ＮＦＣ端末がタッチパネル１１４に接触したまま移動した場合、タッチ情報生成部１３２は、新たに生成したタッチ情報のタッチＩＤを、ＮＦＣ端末がタッチパネル１１４に接触したときに生成されるタッチ情報のタッチＩＤとする。具体的には、図１７の（ｂ）に示すように、タッチＩＤをＴ０００１のままとする。そして、タッチ情報生成部１３２は、生成したタッチ情報を後述する対応付け部２１３に出力する。
【手続補正６】
【補正対象書類名】明細書
【補正対象項目名】０１３９
【補正方法】変更
【補正の内容】
【０１３９】
なお、情報処理装置１ｃは、ＮＦＣディスプレイ１１ｂに代えてＮＦＣディスプレイ１１ｃを備えるほかは、実施形態３で説明した情報処理装置１ｂと同様であるため、本実施形態では、情報処理装置１ｃの要部構成を示すブロック図および各部材の説明を省略する。
【手続補正７】
【補正対象書類名】明細書
【補正対象項目名】０１６０
【補正方法】変更
【補正の内容】
【０１６０】
ここで、端末情報２２６は、例えば端末装置の透明領域のサイズおよび端末装置における透明領域の位置を特定するための情報である。例えば、端末装置が矩形の場合、実施形態１にて説明した透明領域形状コードおよび透明領域位置情報であってもよいが、この例に限定されるものではない。また、端末情報２２６は、端末装置のタッチディスプレイ１１ｄに対する近接面の形状およびサイズを示す情報を含んでいてもよい。この場合、アプリ実行部２１１ｄは、タッチ情報に含まれる形状コードとサイズと、端末情報２２６が示す近接面の形状およびサイズとの差が所定範囲内であるか否かを確認し、所定範囲内でない場合、端末情報２２６を用いてタッチ情報を修正してもよい。
【手続補正８】
【補正対象書類名】明細書
【補正対象項目名】０１７６
【補正方法】変更
【補正の内容】
【０１７６】
図２９は、棒状の持手部の別の例を示す図である。例えば、棒状の持手部は、図２９の（ａ）に示すように、キャラクタを模した持手部３７ｋであってもよい。また、図２９に示すように、当該持手部３７ｋはＮＦＣ端末３０ｋに対して着脱可能であってもよい。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
透光性部分を有する端末装置を重畳させることが可能な表示部を備える情報処理装置であって、
上記表示部は、タッチパネルと、上記端末装置と近距離無線通信を行う通信部とを有し、
上記表示部に対して上記端末装置が重畳された場合に、上記タッチパネルから出力された上記端末装置の位置情報に応じて、上記透光性部分に対応する上記表示部の領域を特定する領域特定部と、
特定された上記領域内に画像を表示させる表示制御部と、を備え、
上記領域特定部は、上記端末装置との近距離無線通信により取得した、当該端末装置の上記透光性部分を示す情報を用いて、当該透光性部分に対応する上記表示部の領域を特定することを特徴とする情報処理装置。
【請求項２】
上記領域特定部は、上記タッチパネルにおける、上記端末装置が接触または近接している位置を特定し、当該位置における上記端末装置が有する上記透光性部分に対応する上記表示部の領域を特定することを特徴とする請求項１に記載の情報処理装置。
【請求項３】
上記表示制御部は、上記端末装置との近距離無線通信により取得した情報に応じた画像を表示させることを特徴とする請求項１または２に記載の情報処理装置。
【請求項４】
上記表示部は、上記通信部を複数有し、
複数の上記通信部のうち、いずれの通信部で端末装置との近距離無線通信が行われたかを特定する特定部をさらに備えることを特徴とする請求項１から３のいずれか１項に記載の情報処理装置。
【請求項５】
上記表示制御部は、上記特定部が特定した通信部に応じた画像を表示させることを特徴とする請求項４に記載の情報処理装置。
【請求項６】
上記表示制御部は、上記通信部の位置と対応する上記表示部の領域内に、上記通信部の位置を示すガイド画像を表示させることを特徴とする請求項１から５のいずれか１項に記載の情報処理装置。
【請求項７】
透光性部分を有する端末装置を重畳させることが可能な表示部を備える情報処理装置の制御方法であって、
上記表示部は、タッチパネルと、上記端末装置と近距離無線通信を行う通信部とを有し、
上記表示部に対して上記端末装置が重畳された場合に、上記タッチパネルから出力された上記端末装置の位置情報に応じて、上記透光性部分に対応する上記表示部の領域を特定する領域特定ステップと、
特定された上記領域内に画像を表示させる表示制御ステップと、を含み、
上記領域特定ステップでは、上記端末装置との近距離無線通信により取得した、当該端末装置の上記透光性部分を示す情報を用いて、当該透光性部分に対応する上記表示部の領域を特定することを特徴とする情報処理装置の制御方法。
【請求項８】
透光性部分を有する端末装置と近距離無線通信を行う通信部を有する表示部を備える情報処理装置であって、
上記表示部における上記通信部の位置を示す通信位置情報を記憶している記憶部と、
近距離無線通信が行われたことに応じて、上記表示部において上記端末装置が接触または近接している位置を、上記通信位置情報を用いて特定する端末位置特定部と、
特定された上記端末装置が有する上記透光性部分に対応する上記表示部の領域を特定する領域特定部と、
特定された上記領域内に画像を表示させる表示制御部と、を備えることを特徴とする情報処理装置。
【請求項９】
外部装置の表示部に重畳させることで、当該外部装置と近距離無線通信を行う端末装置であって、
上記端末装置を上記表示部に重畳させたときに、当該表示部に表示された画像の少なくとも一部を視認可能な透光性部分を有し、
上記透光性部分を示す情報を記憶していることを特徴とする端末装置。
【請求項１０】
上記透光性部分は、空洞によって形成されていることを特徴とする請求項９に記載の端末装置。
【請求項１１】
ユーザが把持可能な持手部をさらに備えることを特徴とする、請求項９または１０に記載の端末装置。
【請求項１２】
上記持手部は、上記端末装置から着脱可能であることを特徴とする、請求項１１に記載の端末装置。
【請求項１３】
上記透光性部分を示す情報を、上記近距離無線通信によって上記外部装置に送信することを特徴とする、請求項９から１２のいずれか１項に記載の端末装置。
【請求項１４】
請求項１に記載の情報処理装置としてコンピュータを機能させるための制御プログラムであって、上記領域特定部および上記表示制御部としてコンピュータを機能させるための制御プログラム。
【請求項１５】
請求項１４に記載の制御プログラムを記録したコンピュータ読み取り可能な記録媒体。
【国際調査報告】
2016185769.tif 000032
2016185769.tif 000033
2016185769.tif 000034
2016185769.tif 000035
2016185769.tif 000036
2016185769.tif 000037